(57)【特許請求の範囲】
【請求項１】
ユーザ機器（ＵＥ）に、
第１のランダムアクセス（ＲＡ）メッセージを送信するために使用されるべき拡張カバレッジ（ＥＣ）レベルを決定する手順であって、前記ＥＣレベルは、関連付けられたウィンドウを有している、手順と、
前記第１のＲＡメッセージを、前記ＥＣレベルに基づいて送信する手順と、
前記ウィンドウ内で、前記第１のＲＡメッセージに応答して送信される第２のＲＡメッセージをデコーディングすべく、物理ダウンリンク制御チャネルをモニタリングする手順と、
を実行させ、
前記ウィンドウは、１または複数の第２のＲＡメッセージ機会を含み、前記１または複数の第２のＲＡメッセージ機会の長さは、前記ＥＣレベルに基づく、
コンピュータプログラム。
【請求項２】
前記ＵＥにさらに、
複数のＥＣレベルのうちの個々のＥＣレベルに対するランダムアクセスリソースの構成を決定する手順を実行させる、請求項１に記載のコンピュータプログラム。
【請求項３】
前記第１のＲＡメッセージはランダムアクセスプリアンブルであり、ランダムアクセスリソースの構成を決定すべく、前記ＵＥに、
前記ＥＣレベルに対し、前記ランダムアクセスプリアンブルを送信する再送数を決定する手順を実行させる、請求項２に記載のコンピュータプログラム。
【請求項４】
ランダムアクセスリソースの構成を決定すべく、前記ＵＥに、
前記複数のＥＣレベルのうちの個々のＥＣレベルに対する周波数ホッピングの構成を決定する手順を実行させる、請求項２または３に記載のコンピュータプログラム。
【請求項５】
前記ＵＥにさらに、
複数のＥＣレベルのうちの個々のＥＣレベルに対する前記ランダムアクセスリソースの前記構成を決定すべく、システム情報を処理する手順を実行させる、請求項２から４のいずれか一項に記載のコンピュータプログラム。
【請求項６】
前記ＵＥにさらに、
ＲＡプリアンブル時間および前記ＥＣレベルに関連付けられた周波数リソースに基づき、ＲＡ無線ネットワーク一時識別子（ＲＮＴＩ）を決定する手順を実行させる、請求項１から５のいずれか一項に記載のコンピュータプログラム。
【請求項７】
前記第１のＲＡメッセージはＲＡプリアンブルであり、前記第２のＲＡメッセージはＲＡ応答であり、前記ＵＥにさらに、
前記ＥＣレベルに基づき前記ウィンドウを決定する手順と、
前記ＲＡ応答をデコーディングすべく、前記ウィンドウ内で前記物理ダウンリンク制御チャネルをモニタリングする手順と、を実行させる、請求項１から６のいずれか一項に記載のコンピュータプログラム。
【請求項８】
前記ＥＣレベルは第１のＥＣレベルであり、前記ＵＥにさらに、
前記ＲＡ応答が前記ウィンドウ内で受信されていないことを決定する手順と、
前記ＲＡ応答が前記ウィンドウ内で受信されていないという前記決定に基づき、前記ＲＡプリアンブルの再送信のための第２のＥＣレベルに切り替える手順と、を実行させる、請求項７に記載のコンピュータプログラム。
【請求項９】
前記ＵＥにさらに、
前記ＲＡ応答が前記ウィンドウ内で受信されていないことを決定する手順と、
送信試行数が、前記ＥＣレベルに対し許容される最大プリアンブル送信試行数未満であることを決定する手順と、
前記ＲＡプリアンブルが前記ＥＣレベルで再送信されるようにする手順と、を実行させる、請求項７または８に記載のコンピュータプログラム。
【請求項１０】
ユーザ機器（ＵＥ）に、
第１のランダムアクセス（ＲＡ）メッセージを送信するために使用されるべき拡張カバレッジ（ＥＣ）レベルを決定する手順であって、前記ＥＣレベルは、第１の再送数と関連付けられ、関連付けられたウィンドウを有している、手順と、
前記第１のＲＡメッセージを、前記第１の再送数で送信する手順と、
前記ウィンドウ内で、前記第１のＲＡメッセージに応答して送信される第２のＲＡメッセージをデコーディングすべく、物理ダウンリンク制御チャネルをモニタリングする手順と、
を実行させ、
前記第２のＲＡメッセージは、前記第１の再送数に基づく第２の再送数で送信される、
コンピュータプログラム。
【請求項１１】
ｅＮＢに、
複数のＥＣレベルのうちの第１のＥＣレベルに対する拡張カバレッジ（ＥＣ）ランダムアクセス（ＲＡ）パラメータを決定する手順と、
前記複数のＥＣレベルのうちの前記第１のＥＣレベルに対する前記ＥＣ  ＲＡパラメータを含むシステム情報を生成する手順と、
前記システム情報が送信されるようにする手順と、を実行させ、
前記第１のＥＣレベルに対する前記ＥＣ  ＲＡパラメータは、ＲＡ応答が送信されるべきウィンドウのサイズの指標を含み、
前記ウィンドウは、１または複数のＲＡ応答機会を含み、前記１または複数のＲＡ応答機会の長さは、前記第１のＥＣレベルに基づく、
コンピュータプログラム。
【請求項１２】
前記第１のＥＣレベルに対する前記ＥＣ  ＲＡパラメータは、ランダムアクセスプリアンブルの送信のための再送数を含む、請求項１１に記載のコンピュータプログラム。
【請求項１３】
前記第１のＥＣレベルに対する前記ＥＣ  ＲＡパラメータは、周波数ホッピングの構成を含む、請求項１１または１２に記載のコンピュータプログラム。
【請求項１４】
前記ｅＮＢにさらに、
ユーザ機器からのＲＡプリアンブルを受信する手順と、
ＲＡ無線ネットワーク一時識別子（ＲＡ‐ＲＮＴＩ）と共にＲＡ応答メッセージを送信する手順であって、前記ＲＡ‐ＲＮＴＩは、前記第１のＥＣレベルおよびＲＡプリアンブル時間および周波数リソースに基づく、送信する手順と、を実行させる、請求項１１から１３のいずれか一項に記載のコンピュータプログラム。
【請求項１５】
複数のＥＣレベルのうちの第１のＥＣレベルに対する拡張カバレッジ（ＥＣ）ランダムアクセス（ＲＡ）パラメータを格納するためのメモリと、
前記メモリに連結された１または複数のプロセッサと、を備え、
前記１または複数のプロセッサは、
前記ＥＣ  ＲＡパラメータに基づき、時間および周波数リソースを選択し、
前記時間および周波数リソースを使用して、ランダムアクセスプリアンブルがｅＮＢに送信されるようにし、
前記ＥＣ  ＲＡパラメータに基づき、ウィンドウを決定し、
ＲＡ応答メッセージをデコーディングすべく、前記ウィンドウ内で物理ダウンリンク制御チャネルをモニタリングし、
前記ウィンドウは、１または複数のＲＡ応答機会を含み、前記１または複数のＲＡ応答機会の長さは、前記第１のＥＣレベルに基づく、
装置。
【請求項１６】
前記１または複数のプロセッサはさらに、
前記ＥＣ  ＲＡパラメータに基づき、前記ランダムアクセスプリアンブルを送信するために使用されるべき再送数を決定する段階と、
前記ランダムアクセスプリアンブルが前記再送数で送信されるようにする、請求項１５に記載の装置。
【請求項１７】
前記１または複数のプロセッサはさらに、
前記第１のＥＣレベルに基づき、ＲＡ応答メッセージの再送数を決定し、
前記再送数に基づき、前記ＲＡ応答メッセージをデコーディングすべく、物理ダウンリンク制御チャネルをモニタリングする、請求項１５または１６に記載の装置。
【請求項１８】
前記１または複数のプロセッサはさらに、
前記ＥＣ  ＲＡパラメータに基づき、前記第１のＥＣレベルに対する周波数ホッピングの構成を決定する、請求項１５から１７のいずれか一項に記載の装置。
【請求項１９】
前記１または複数のプロセッサはさらに、
前記ＥＣ  ＲＡパラメータを決定すべく、システム情報を処理する、請求項１５から１８のいずれか一項に記載の装置。
【請求項２０】
前記１または複数のプロセッサはさらに、
前記ＥＣ  ＲＡパラメータに基づき、ＲＡ無線ネットワーク一時識別子（ＲＮＴＩ）を決定し、
前記ランダムアクセスプリアンブルが前記第１のＥＣレベルで再送信されるようにする、請求項１５から１９のいずれか一項に記載の装置。
【請求項２１】
第１の拡張カバレッジ（ＥＣ）レベルに使用されるべきＥＣランダムアクセス（ＲＡ）パラメータを決定するための手段と、
前記ＥＣ  ＲＡパラメータに基づく第１の再送数で、ランダムアクセスプリアンブルを送信するための手段と、
前記ＥＣ  ＲＡパラメータに基づくウィンドウ内で、ＲＡ応答をデコーディングすべく、物理ダウンリンク制御チャネルをモニタリングするための手段と、を備え、
前記ＲＡ応答は、前記第１の再送数に基づく第２の再送数で送信される、
装置。
【請求項２２】
前記ＥＣ  ＲＡパラメータを決定するための前記手段は、ｅＮＢからのシステム情報を受信するための手段を含み、前記システム情報は、前記ＥＣ  ＲＡパラメータを含む、請求項２１に記載の装置。
【請求項２３】
前記ランダムアクセスプリアンブルを送信するための前記手段は、前記ＥＣ  ＲＡパラメータに基づき、ＲＡ無線ネットワーク一時識別子を決定するための手段を含む、請求項２１または２２に記載の装置。
【請求項２４】
請求項１から１４のいずれか一項に記載のコンピュータプログラムを格納した１または複数のコンピュータ可読記録媒体。
【発明の詳細な説明】
【技術分野】
【０００１】
［関連出願の相互参照］
本願は、２０１５年９月２２日に出願された米国特許出願第１４／８６１，８２８号（発明の名称「拡張カバレッジサポートのためのランダムアクセスプロシージャ」）に基づく優先権を主張し、該出願は、２０１５年４月９日に出願された米国仮特許出願第６２／１４５，３３５号（発明の名称「拡張カバレッジサポートのためのランダムアクセスプロシージャ」）に基づく優先権を主張する。それらの開示全体は、本明細書と不整合である箇所がもしあれば、それらの箇所を除き、あらゆる目的のために参照により本明細書にそれら全体が組み込まれる。本開示の実施形態は、概して無線通信の分野に関し、より具体的には、競合ベースのランダムアクセスプロシージャを実装するように動作可能なコンピュータデバイスに関する。
【背景技術】
【０００２】
ここに記載された背景技術は、本開示の文脈を一般的に示す目的のものである。本願に名前を挙げられている発明者らの研究は、この背景技術の欄に記載されている限り、および、それ以外の出願時における先行技術としてみなされ得ない記載の側面と共に、明示的にも暗黙的にも本開示に対する先行技術としてはみなされない。本明細書に別途の記載がない限り、この箇所に記載されたアプローチは、本開示の特許請求の範囲に対する先行技術ではなく、それらがこの箇所に含まれていることによって先行技術であると認められることはない。
【０００３】
マシンタイプ通信（ＭＴＣ）技術は、「モノのインターネット」（ＩｏＴ）のコンセプトに向けての進展につれ、ユビキタスコンピューティング環境を可能にし得る。潜在的なＭＴＣベースのアプリケーションとしては、スマートメータ、ヘルスケアモニタリング、リモートセキュリティ監視、インテリジェント輸送システム、個々のアイテムの在庫管理等が含まれる。これらのサービスおよびアプリケーションは、現在および将来の世代のモバイルブロードバンドネットワークにシームレスに統合され得る新しいタイプのＭＴＣデバイスの設計および開発を活性化させ得る。
【０００４】
既存のモバイルブロードバンドネットワークは、主にヒューマンタイプの通信の性能を最適化するように設計されている。従って、既存のネットワークは、ＭＴＣ関連の要件に対し、適合または最適化されない可能性がある。ＭＴＣ固有の設計は、例えば、第３世代パートナーシッププロジェクト（３ＧＰＰ）によって探求されるだろう。将来の３ＧＰＰ仕様は、異なるネットワーク設計をサポートする可能性があり、それによりＭＴＣを改善する可能性がある。
【０００５】
例えば、３ＧＰＰリリース１２において、カテゴリ０と称される新しい物理レイヤＵＥカテゴリが、Ｅ−ＵＴＲＡ仕様に導入された。このＵＥカテゴリは、単一のアンテナのみのサポートに起因し、例えば、ピークデータレート能力の観点並びに送信および受信性能の観点から、以前の最も低いカテゴリ１よりも低い能力を有する。カテゴリ０の導入目的の１つは、ＭＴＣアプリケーションのためのより低コストのユーザ機器（ＵＥ）を実現することにある。３ＧＰＰリリース１３においては、リリース１２で追加されたカテゴリ０と比べ、さらに低い能力とより低廉なコストを有する新しい物理レイヤＵＥカテゴリ（カテゴリＸ）が導入されている。また、リンクバジェットを最大１５デシベル（ｄＢ）分上げるために、拡張カバレッジ（ＥＣ）機能が導入されている。ＥＣ機能は、Ｅ−ＵＴＲＡＮが、現行ではＵＥにカバレッジが提供できない、または提供が難しいといった課題を有する場所に位置するＵＥと通信することを可能にするだろう。そのような場所としては、例えば、建物内部の奥まった所、地下室内、商品パレット内等が挙げられる。カテゴリＸおよびＥＣは、主にＭＴＣアプリケーションに使用されるＵＥを対象とする。カテゴリＸおよびＥＣは、独立して実装されてよく、ＵＥは、その一方または両方をサポートしてよい。
【図面の簡単な説明】
【０００６】
本開示の実施形態は、添付図面において限定的なものではなく例示的なものとして示されている。添付図面中、同様の参照符号は、類似の要素を示す。本開示の「一（ａｎ）」または「１（ｏｎｅ」実施形態という言及は、必ずしも同一の実施形態を指しておらず、それらは少なくとも１つを意味してよいことに留意されたい。また、「例（ｅｘａｍｐｌｅ）」という言及は、別途の記載がない限り、非限定的な例を言及することにも留意されたい。
【図１】様々な実施形態による、ＥＣモードを使用する進化型ノードＢ（ｅＮＢ）とユーザ機器（ＵＥ）との間の通信メッセージフローを示す。
【図２Ａ】様々な実施形態による、ＥＣ機能を使用して、ＵＥによって実行される競合ベースのランダムアクセスプロシージャのプロセスを示す。
【図２Ｂ】様々な実施形態による、ＥＣ機能を使用して、ＵＥによって実行される競合ベースのランダムアクセスプロシージャのプロセスを示す。
【図３Ａ】様々な実施形態による、ＵＥおよびｅＮＢによって使用されてよいＥＣ  ＲＡＲウィンドウ内にランダムアクセス応答（ＲＡＲ）機会を実装するために使用されてよいフレーム構造を示すダイアグラムである。
【図３Ｂ】様々な実施形態による、ＵＥおよびｅＮＢによって使用されてよいＥＣ  ＲＡＲウィンドウ内にランダムアクセス応答（ＲＡＲ）機会を実装するために使用されてよいフレーム構造を示すダイアグラムである。
【図３Ｃ】様々な実施形態による、ＵＥおよびｅＮＢによって使用されてよいＥＣ  ＲＡＲウィンドウ内にランダムアクセス応答（ＲＡＲ）機会を実装するために使用されてよいフレーム構造を示すダイアグラムである。
【図４】様々な実施形態による、ＥＣモードにおけるＵＥ宛てのシステム情報（ＳＩ）に対し、異なる変更期間を実装するためのフレーム構造を示すダイアグラムである。
【図５】様々な実施形態による、ＥＣモードにおいて無線通信ネットワークで動作するように適合されたコンピューティングデバイスを示すブロック図である。
【図６】様々な実施形態による、ｅＮＢ回路、ＵＥ回路、または何らかの他のタイプの回路であってよい電子デバイス回路を示す。
【図７】少なくとも図示の通り互いに連結された無線周波数（ＲＦ）回路、ベースバンド回路、アプリケーション回路、メモリ／ストレージ、ディスプレイ、カメラ、センサ、および入／出力（Ｉ／Ｏ）インタフェースを備える一実施形態の例示的なシステムを示す。
【発明を実施するための形態】
【０００７】
以下の詳細な説明においては、本願の一部を成す添付図面への参照がなされる。添付図面にわたり、同様の参照符号は同様の部材を示し、そこには実施され得る実施形態が例示として示されている。他の実施形態が利用されてよいこと、および本開示の範囲を逸脱することなく、構造的または論理的変更を成し得ることを理解されたい。従って、以下の詳細な説明は、限定的な意味に解釈されるべきではなく、実施形態の範囲は、添付の特許請求の範囲およびその均等内容によって規定される。
【０００８】
特許請求された主題の理解に最も寄与する態様で、様々な処理が複数の別個の動作または処理として順番に記載されてよい。しかしながら、記載の順序が、これらの処理が必然的に順序に依存するものであることを示唆するものとして解釈されるべきではない。特に、これらの処理は、提示の順序で実行されなくてよい。記載された処理は、記載された実施形態と異なる順序で実行されてよい。様々な追加の処理が実行されてよく、および／または、記載された処理は、追加的な実施形態において省略されてよい。
【０００９】
本開示の目的において、「ＡまたはＢ」および「Ａおよび／またはＢ」という文言は、（Ａ）、（Ｂ）または（ＡおよびＢ）を意味する。本開示の目的において、「Ａ、Ｂおよび／またはＣ」という文言は、（Ａ）、（Ｂ）、（Ｃ）、（ＡおよびＢ）、（ＡおよびＣ）、（ＢおよびＣ）または（Ａ、Ｂ、およびＣ）を意味する。
【００１０】
本詳細な説明は、「一実施形態において（ｉｎ  ａｎ  ｅｍｂｏｄｉｍｅｎｔ）、」または「実施形態において（ｉｎ  ｅｍｂｏｄｉｍｅｎｔｓ）、」という文言を使用することがあるが、これらはそれぞれ、同一または異なる実施形態のうちの１または複数を指してよい。さらに、本開示の実施形態に関し使用される「備える（ｃｏｍｐｒｉｓｉｎｇ）」、「含む（ｉｎｃｌｕｄｉｎｇ）」、「有する（ｈａｖｉｎｇ）」等といった用語は、同義語である。
【００１１】
本明細書で使用される「モジュール」および／または「ロジック」という用語は、１または複数のソフトウェアまたはファームウェアプログラムを実行する特定用途向け集積回路（ＡＳＩＣ）、電子回路、プロセッサ（共有、専用、またはグループ）、および／またはメモリ（共有、専用、またはグループ）、組み合わせロジック回路、並びに／または記載された機能を提供する他の好適なハードウェアコンポーネントを指してよく、それらの一部であってよく、またはそれらを含んでよい。
【００１２】
本明細書で使用される「回路」という用語は、１または複数のソフトウェアまたはファームウェアプログラムを実行するＡＳＩＣ、電子回路、プロセッサ（共有、専用、またはグループ）、および／またはメモリ（共有、専用、またはグループ）、組み合わせロジック回路、並びに／または記載された機能を提供する他の好適なハードウェアコンポーネントを指してよく、それらの一部であってよく、またはそれらを含んでよい。いくつかの実施形態において、回路は、１または複数のソフトウェアまたはファームウェアモジュール内に実装されてよく、または回路に関連する諸機能は、１または複数のソフトウェアまたはファームウェアモジュールによって実装されてよい。
【００１３】
実施形態において、本開示は、ＥＣモードで実行される進化型ノードＢ（ｅＮＢ）とユーザ機器（ＵＥ）との間のランダムアクセスプロシージャプロセスに関連するマシンツーマシン通信を向上させるためのプロセス、装置および／または技術について言及してよい。これらの実施形態は、ＥＣモードに複数のレベルを関連付けることを含んでよく、各レベルに対し、ＵＥとｅＮＢとの間で送信されるメッセージの再送数に加え、ＥＣモードレベルに依り、ｅＮＢとの通信を試行するＵＥによって使用されてよい異なる電力レベルを識別することを含んでよい。また、実施形態は、複数のランダムアクセスプリアンブルに応答して送信されてよい複数のＲＡＲを受信およびデコーディングするための追加的なランダムアクセス応答（ＲＡＲ）機会ウィンドウを追加することを含んでよい。また、実施形態は、リリース１３  ＬＣ  ＵＥおよびリリース１３  ＥＣ  ＵＥに宛てられたＳＩメッセージに対する異なる変更期間のサポートを含んでよい。
【００１４】
実施形態において、この解決手段を使用するＵＥは、リリース１３における１．４ＭＨｚ等の低減された帯域幅領域で動作してよく、または２００ｋＨｚ等のより狭帯域の領域で動作してよい。ｅＮＢはまた、より広いシステム帯域幅で動作してよい。
【００１５】
図１は、様々な実施形態による、ＥＣモードを使用するＵＥとｅＮＢとの間の通信メッセージフローを示す。ダイアグラム１００は、ＵＥ１０２およびｅＮＢ１０４等のアクセスノードとの無線通信を含んでよい。ＵＥ１０２およびｅＮＢ１０４は、ＥＣモードでの競合ベースのＲＡプロシージャを使用して、無線リソース制御（ＲＲＣ）接続を確立すべく、通信してよい。
【００１６】
ＥＣランダムアクセス（ＲＡ）プリアンブル割り当て１０６が、ｅＮＢ１０４からＵＥ１０２に送信されてよい。実施形態において、ＲＡプリアンブル割り当て１０６は、リリース１３  ＬＣ（低コスト）ＵＥおよびリリース１３  ＥＣモードＵＥに関連するランダムアクセス構成情報を含んでよく、ＲＡプリアンブル割り当て１０６は、システム情報（ＳＩ）を通してブロードキャストされてよく、またはＵＥ１０２内で予め定義されてよい。実施形態において、ランダムアクセス構成情報は、ＵＥ１０２によって使用されるべきＥＣレベル、そのＥＣレベルに許容される各ＥＣモードメッセージの追加的な再送数を示す値、および／または反復通信試行に使用されるべき１または複数の電力レベルを含んでよい。
【００１７】
ＥＣ  ＲＡプリアンブル１０８が、ＵＥ１０２からｅＮＢ１０４へ送信されてよい。ＥＣ  ＲＡＲウィンドウ内で、ＥＣ  ＲＡプリアンブル１０８に応答するＥＣ  ＲＡＲメッセージ１１０がｅＮＢ１０４によって送信されてよく、実施形態において、ＥＣ  ＲＡＲメッセージ１１０は複数の連続的なサブフレーム内で受信されてよい。ＥＣ  ＲＡプリアンブル１０８の内容は、ＵＥ１０２が、ｅＮＢ１０４から受信されたＥＣ  ＲＡ応答（ＥＣ  ＲＡＲ）メッセージ１１０のサブフレーム内で検索してよいランダムアクセス無線ネットワーク一時識別子（ＲＡ−ＲＮＴＩ）を決定してよい。
【００１８】
実施形態において、ｅＮＢ１０４は、ＥＣ  ＲＡＲメッセージ１１０が送信されるＥＣ  ＲＡＲウィンドウ内の位置に関する柔軟性を有してよい。実施形態において、ＵＥ１０２は、物理ダウンリンク制御チャネル（ＰＤＣＣＨ）上でＲＡ−ＲＮＴＩを検索してよい。実施形態において、ＥＣモードでＵＥによって受信されるＰＤＣＣＨは、レガシＰＤＣＣＨとは異なってよい。例えば、レガシＰＤＣＣＨは、全システム帯域幅において、サブフレームの第１のＯＦＤＭＡシンボル内で送信されてよい。しかしながら、ＥＣモードの場合、ＰＤＣＣＨは、レガシＰＤＣＣＨ内の低減された帯域幅領域において送信されてよい。
【００１９】
ＥＣ  ＲＡＲメッセージ１１０は、ランダムアクセスプリアンブル識別子（ＲＡＰＩＤ）および一時的セル無線ネットワーク一時識別子（Ｔ−ＣＲＮＴＩ）を含んでよい。
【００２０】
ＥＣスケジューリングされた送信１１２が、ＵＥ１０２によってｅＮＢ１０４に送信されてよい。実施形態において、ＥＣ  ＲＡＲメッセージ１１０が、サブフレームｎ内で受信される場合、ＵＥ１０２は、サブフレームｎ＋ｋ（ｋ≧６）内の物理アップリンク共有チャネル（ＰＵＳＣＨ）を介してスケジューリングされたデータアイテムを送信してよい。ＵＥ１０２はさらに、ｍａｘＨＡＲＱ‐Ｍｓｇ３Ｔｘを用いてハイブリッド自動再送要求（ＨＡＲＱ）を適用してよい。ＵＥ１０２はまた、ＲＲＣ接続要求のためのタイマＴ３００等のタイマを開始し、ＰＤＣＣＨ上のＴ−ＣＲＮＴＩをモニタリングしてよい。最後に、ＵＥ１０２は、ｍａｃ‐ＣｏｎｔｅｎｔｉｏｎＲｅｓｏｌｕｔｉｏｎＴｉｍｅｒを開始してよい。実施形態において、ｍａｃ‐ＣｏｎｔｅｎｔｉｏｎＲｅｓｏｌｕｔｉｏｎＴｉｍｅｒは、各ＨＡＲＱ再送信において再開されてよい。
【００２１】
ＥＣ競合解決メッセージ１１４が、ｅＮＢ１０４によってＵＥ１０２に送信されてよい。実施形態において、Ｔ−ＣＲＮＴＩがＰＤＣＣＨ内で使用され、関連付けられたＰＤＳＣＨに対し、ＨＡＲＱがｅＮＢ１０４によって適用されてよい。実施形態において、ＵＥ１０２が、ＥＣスケジューリングされた送信１１２において提供される自身のＵＥ１０２識別情報を検出する場合、ＵＥ１０２は、ＰＵＣＣＨ上でのみＨＡＲＱフィードバックを送信してよい。実施形態において、ｍａｃ‐ＣｏｎｔｅｎｔｉｏｎＲｅｓｏｌｕｔｉｏｎＴｉｍｅｒが実行されている間、ＥＣ競合解決メッセージ１１４は、ＵＥ１０２によって受信されてよい。ＥＣ競合解決メッセージ１１４が正常に受信された場合、ＵＥ１０２の競合解決識別情報ＭＡＣ  ＣＥは、ＥＣ競合解決メッセージ１１４のＵＬ共通制御チャネル（ＣＣＣＨ）サービスデータユニット（ＳＤＵ）を含んでよい。
【００２２】
実施形態において、上記のＥＣモードでの通信の利点としては、特にＵＥがＩｏＴの一部として実装されている場合に、ＵＥとｅＮＢとの間のＲＲＣ接続確立の可能性が高くなることが含まれてよい。また利点として、より低消費電力を使用しながら、ＲＲＣ接続確立の可能性が高くなることをもたらすことが含まれてよく、例えば、それは、ＵＥによって使用される電力をＲＡプロシージャがＲＲＣ接続を確立可能な程度にまでランプアップすることにより実現され、その場合、ＵＥは最大電力での動作を続行する必要はない。また、ＲＡプロシージャ中のＵＥとｅＮＢとの間の送信の反復的試行をサポートすることによって、ＲＲＣ接続確立の可能性は大きく高められる。
【００２３】
図２Ａは、様々な実施形態による、ＥＣ機能を使用して、ＵＥによって実行される競合ベースのランダムアクセスプロシージャのプロセスを示す。プロセス２００は、上記の様々なプロセスをより詳細に説明する。プロセス２００は、様々な実施形態によるＥＣモード処理で使用される、例えばＵＥ１０２等のＵＥによって実行されてよい。いくつかの実施形態において、ＵＥは１または複数の非一時的コンピュータ可読媒体を含んでよく、当該媒体は自身に格納された命令を有し、命令は実行時、ＵＥに対し、プロセス２００を実行させる。プロセスは、ブロック２０２で開始してよい。
【００２４】
ブロック２０４において、ＵＥ１０２は、ｅＮＢ１０４からランダムアクセスプロシージャ（ＲＡＣＨ）構成情報を受信してよい。実施形態において、例えば、ＵＥ１０２がアイドルモードにあり、ＥＣモードが可能なときに、構成情報はＥＣ  ＲＡプリアンブル割り当てメッセージ１０６から、ＵＥ１０２によって受信されてよい。構成情報は、ｅＮＢ１０４によってＳＩを通してブロードキャストされてよい。他の実施形態においては、構成情報は、ＵＥ１０２内に以前に格納済みであってよい。
【００２５】
ブロック２０６において、ＵＥ１０２はＲＡ関連要素を初期化してよい。実施形態において、ＵＥは、レガシＲＡメカニズムに類似した関連要素を初期化してよい。実施形態において、ＥＣモードのための新しいＲＡ関連パラメータがＵＥによって初期化されてよい。ＲＡ関連パラメータは、例えばＥＣレベル、初期電力レベル、またはメッセージを再送する回数であってよい。
【００２６】
ブロック２０８において、ＵＥ１０２は、ＵＥがＥＣモードを開始する基準が満たされたかどうか、またはレガシＲＡプロシージャが開始されてよいかに関する判断を行ってよい。実施形態において、ＵＥ１０２は、どのＲＡプロシージャモードが使用されてよいかを、仕様において定義された、ＵＥ上に格納された、および／またはブロードキャスト若しくは専用メッセージを通してＵＥに対し示された情報によって、決定してよい。例示において、新しいルール、条件または基準が定義されてよい。例えば、レガシＲＡプロシージャ下で、１または複数の不成功な完了を有するＵＥが、ＥＣ  ＲＡプロシージャの使用を試行してよいというルールが定義されてよい。
【００２７】
他の非限定的な例においては、ＵＥがＥＣ  ＲＡプロシージャを使用すべきときをトリガまたは決定するための閾値が使用されてよい。これらの閾値は、測定された参照信号受信電力（ＲＳＲＰ）、測定された参照信号受信品質（ＲＳＲＱ）、プリアンブル送信カウンタ値または物理ランダムアクセスチャネル（ＰＲＡＣＨ）プリアンブル送信電力等の何らかのＵＥ固有のパラメータに基づいて定義されてよい。
【００２８】
他の非限定的な例においては、判断は、ＵＥ１０２に格納されている、予め定義されたカテゴリ／能力に特有の情報に基づいてよい。例えば、ＵＥカテゴリＸは、ＥＣ  ＲＡプロシージャを常に使用することが要求されてよく、または代替的に、ＵＥカテゴリＸは、そのカテゴリに加え他の基準に基づいてＥＣ  ＲＡプロシージャを使用することが許容されてよい。
【００２９】
基準がＥＣモードを開始することを満たさない場合、ブロック２１０において、ＵＥ１０２は、レガシＲＡプロシージャを使用してよい。次に、プロセス２００は、ブロック２３４で終了してよい。
【００３０】
反対に、基準がＥＣモードを開始することを満たす場合、ブロック２１２において、ＵＥ１０２はＲＡプロシージャのためのＥＣモードを使用し、開始ＥＣレベルを識別してよい。実施形態において、ＵＥ１０２内に格納された値に基づいて、またはｅＮＢ１０４によって送信されるＥＣ  ＲＡプリアンブル割り当て１０６内のＥＣレベル情報を受信および／またはデコーディングすることによって、ＵＥ１０２は使用すべきＥＣレベルを識別してよい。ＥＣレベルは、様々な理由で重要であってよい。例えば、ＲＡ関連構成は、ＥＣレベルに基づいて更新される必要があってよい。任意のＥＣレベルで最大ＵＬ送信電力が直接選択されてよく、またはＲＡプリアンブルおよび／または構成は、識別されたＥＣレベルに基づいてよい。ＥＣレベルはまた、ＵＥ１０２がｅＮＢとの通信を試行する際にＵＥ１０２にとって利用可能なメッセージ再送の特定数に関連付けられてよい。結果的に、ＲＡプロシージャは、例えば、ＲＲＣ接続の確立を試行する際、各後続の再送に、増大された電力レベルまたは電力ランプアップを用いて、メッセージ再送数を使用してよい。ＥＣ  ＲＡプリアンブル割り当て１０６内のＲＡメッセージリソース割り当て情報に関する他の側面としては、周波数ホッピングの詳細、ＵＥがＥＣモードの場合および／または異なるＥＣレベルがプリアンブルシーケンスによって識別される場合に、プリアンブル送信に使用されてよいシーケンスのグループが含まれてよい。
【００３１】
ブロック２１４において、ＵＥ１０２は、識別されたＥＣレベルに基づいて、ＲＡプリアンブルおよびＲＡプリアンブルの対応するコピーを送信してよい。実施形態において、ＲＡプリアンブルは、識別されたＥＣレベルに基づく回数、反復的に送信されてよい。実施形態において、ＲＡプリアンブルグループおよび／またはサブグループ、ＲＡプリアンブル時間リソース（ＰＲＡＣＨサブフレーム）、周波数リソース等は、識別されたＥＣレベルに加え、ＵＥ１０２が、ネットワークが複数のＥＣ  ＲＡプリアンブルコピーを結合できるようにするためのＥＣ  ＲＡプリアンブルの複数のコピーを送信するサブフレームに依存してよい。実施形態において、送信される最大数ｎのプリアンブルコピーが存在してよく、ｎは識別されたＥＣレベルに依存する。実施形態において、ＵＥ１０２は、識別されたＥＣレベル、ＲＡプリアンブル、およびＲＡプリアンブル時間と周波数リソースに基づいてＲＡ−ＲＮＴＩを判断してよい。 
【００３２】
ブロック２１６において、ＵＥ１０２は、ＥＣ  ＲＡＲメッセージ１１０を受信するためのリソースの受信および／または結合を開始してよい。実施形態において、ＥＣ  ＲＡＲメッセージ１１０のリソース位置は、同一のＥＣレベルまたはＥＣ  ＲＡプリアンブル１０８でアクセスを試行するＵＥのグループ宛てのリリース１３拡張物理ダウンリンク制御チャネル（ｅＰＤＣＣＨ）を通して、または特定のＵＥ宛ての若しくは予め定義されたおよび／またはＳＩメッセージ内でブロードキャストされた予め構成された／予め定義された情報に基づくリリース１３  ｅＰＤＣＣＨを通して、ＵＥがリリース１３  ＲＡ‐ＲＮＴＩを決定した後、ＵＥによって認識されてよい。また、ＥＣ  ＲＡＲメッセージ１１０は、そのＥＣレベルのための異なるリリース１３  ＲＡＲであってよく、またはランダムアクセス応答を搬送してよいＵＥ固有の若しくは新しい種類のＥＣ  ＲＡＲメッセージ１１０であってよい。このプロセスは、１回のみ行われてよく、または、後述の通り、リリース１３ＥＣ  ＲＡＲウィンドウコンセプトも定義および／または拡張されている場合は、複数回反復されてよい。
【００３３】
ブロック２１８において、ＵＥ１０２は、ＵＥ宛てのＥＣ  ＲＡＲメッセージ１１０が、時間ウィンドウ内で正常にデコーディングされたかどうかを判断してよい。実施形態において、時間ウィンドウは、ＥＣウィンドウ値であってよい。実施形態において、時間ウィンドウは、ＥＣレベルに基づいて変わってよく、例えば、それは、識別されたＥＣレベルに比例してよく、または当該ＥＣレベルに許容されたプリアンブル再送の最大数に基づいてよい。
【００３４】
時間ウィンドウ内でＥＣ  ＲＡＲメッセージ１１０が正常にデコーディングされた場合、ブロック２２０で、プロセスは図２Ｂのブロック２５２に進む。
【００３５】
反対に、時間ウィンドウ内でＥＣ  ＲＡＲメッセージ１１０が正常にデコーディングされなかった場合、ブロック２２２において、送信カウンタは１だけインクリメントされてよい。実施形態において、ＥＣ  ＲＡＲメッセージ１１０が正常にデコーディングされなかった可能性があり、その理由としては、ＥＣ  ＲＡＲメッセージ１１０がｅＮＢによって送信されていなかった可能性があるため、またはＥＣ  ＲＡＲメッセージ１１０は送信されていたが、ＵＥがＥＣ  ＲＡプリアンブル１０８内に含めたＲＡＰＩＤを含んでいなかった可能性があるためである。
【００３６】
ブロック２２４において、ＵＥ１０２は、送信カウンタが、現在のＥＣレベルに対する最大送信カウントに等しいかどうかを判断してよい。送信カウンタが、現在のＥＣレベルに対する最大送信カウントに等しい場合、ブロック２３０において、ＵＥ１０２は、ＥＣ  ＲＡプロシージャが正常に完了しなかったと決定してよい。実施形態において、これは、最も高いＥＣレベルに対する最大試行数に到達した場合に生じてよい。実施形態において、ＵＥは、ＲＲＣ上位レイヤにＲＡエラーについて通知してよく、上位レイヤは、後でＥＣ  ＲＡプロシージャを再度開始してよい。前のＲＡエラーに基づいて、ＲＡプロシージャは、ＥＣレベルを変更することによって開始されてよく、例えば、ＵＥが建物内の奥まった所等、セルの拡張カバレッジ領域内のより奥まった所に存在する場合により好適なレベルまで、ＥＣレベルをインクリメントするといった具合である。ブロック２３２において、プロセス２００は終了してよい。
【００３７】
反対に、送信カウンタが現在のＥＣレベルに対する最大送信カウントに等しくない場合、ブロック２２６において、ＵＥ１０２は、当該ＥＣレベルのためのバックオフ時間が満了するのを待機してよい。実施形態において、ＵＥは、ＥＣ  ＲＡプリアンブル１０８の送信を再度試行してよい。例えば、これは、プリアンブル電力ランプがＥＣに対し指定または構成されている場合、それを適用後、実行されてよい。実施形態において、送信カウンタを使用して、現在のＥＣレベルに対するＰＲＡＣＨプリアンブル送信試行の最大数に制限を設けてよい。実施形態において、送信カウンタは、例えば、より多いメッセージ再送またはより高い電力レベルを許容し得るより高いＥＣレベル等、ＵＥが別のＥＣレベルへと切り替わってよいときを判断してよい。
【００３８】
ブロック２２８において、ＵＥ１０２は、送信カウンタを１だけインクリメントしてよく、プロセス２００はブロック２１２に進んでよい。
【００３９】
図２Ｂは、様々な実施形態による、ＥＣ機能を使用して、ＵＥによって実行される競合ベースのランダムアクセスプロシージャのプロセス２５０を示す。プロセス２５０は、様々な実施形態によるＥＣモード処理のためのＵＥ（例えば、ＵＥ１０２）によって実行されてよい。いくつかの実施形態において、ＵＥは１または複数の非一時的コンピュータ可読媒体を含んでよく、当該媒体は自身に格納された命令を有し、命令は実行時、ＵＥに対し、プロセス２５０を実行させる。ブロック２５２において、プロセス２５０は、図２Ａのブロック２２０から続行してよい。
【００４０】
ブロック２５４において、ＵＥ１０２は、ＥＣウィンドウの終了まで待機してよい。実施形態において、ＵＥがＥＣスケジューリングされた送信メッセージ１１２の送信を開始する前に、ＵＥはＥＣウィンドウの終了まで待機してよい。実施形態において、識別された任意の特定のＥＣレベルについて、ブロック２１２の例示で上記した通り、そのＥＣレベルは、ＥＣ  ＲＡＲメッセージ１１０が送信された回数を識別する関連付けられた再送数を有してよい。その回数ＥＣ  ＲＡＲメッセージ１１０が送信されるよりも前に、ＵＥがＥＣ  ＲＡＲメッセージ１１０をデコーディング可能である場合、ＵＥは、最後のＥＣ  ＲＡＲメッセージ１１０の受信にかかり得る時間、待機してよい。実施形態において、ＥＣ  ＲＡＲメッセージ１１０の最後の再送がｅＮＢによって送信された後にのみ、ＥＣスケジューリングされた送信１１２のＵＬ割り当てがスケジューリングされてよい。
【００４１】
ブロック２５６において、ＵＥ１０２は、スケジューリングされた送信、例えば、ＲＲＣ接続要求をｅＮＢに送信してよい。
【００４２】
ブロック２５８において、ＵＥ１０２は、識別された時間の後、競合解決メッセージの受信を開始してよい。
【００４３】
ブロック２６０において、ＵＥ１０２は、ＵＥ宛ての競合解決メッセージが正常に受信されたかどうかを判断してよい。上記のＥＣ  ＲＡプロシージャに類似するプロセスが適用されてよく、またはＲＡプロシージャが、競合解決フェーズ１１４で失敗した場合、プロセスは延長されてよい。実施形態において、これは、ＥＣスケジューリングされた送信１１２がｅＮＢにおいて正しく受信されなかった場合、または特定のＵＥからのＥＣスケジューリングされた送信１１２が、別のＥＣスケジューリングされた送信１１２と競合し、当該別のＵＥのＥＣスケジューリングされた送信１１２のみが検出された場合に生じてよい。後者の場合、特定のＵＥは、ｅＮＢからＥＣ競合解決メッセージ１１４を受信してよいが、それはその特定のＵＥに宛てられていなかったと判断してよい。
【００４４】
他の実施形態において、ＥＣモードの使用中に、ＥＣ競合解決１１４が受信されない場合、レガシｍａｃ‐ＣｏｎｔｅｎｔｉｏｎＲｅｓｏｌｕｔｉｏｎＴｉｍｅｒに類似するコンセプトが適用されてよい。これらの実施形態において、このタイマの値は、スケジューリングされた送信１１２のＥＣ反復が生じると予期される期間に基づいて、スケーリングされてよく、または更新されてよい。これは、ＥＣスケジューリングされた送信１１２がｅＮＢによって正しく受信されなかった、またはｅＮＢは受信および応答したが、ＥＣ競合解決１１４がＵＥにおいて正常に受信されなかった場合に生じてよい。
【００４５】
ＵＥ１０２が、競合解決メッセージが正常に受信されたと判断した場合、ブロック２６４において、プロセス２５０は終了してよい。
【００４６】
ＵＥ１０２が、競合解決メッセージが正常に受信されなかったと判断した場合、プロセスはブロック２６２に進んでよく、ブロック２６２では次に、プロセスを図２Ａのブロック２０８に戻してよい。
【００４７】
実施形態において、ＥＣ競合解決１１４が失敗した場合、ＵＥは、類似のプロシージャを適用して、プリアンブル送信カウンタをインクリメントまたは再初期化すると共にＲＡプリアンブルを再送信してよい。プリアンブル送信カウンタの再初期化オプションの場合、ＵＥは、レガシ処理の場合のように、ＲＡプロセスを再度再開してよい。
【００４８】
実施形態において、前のＲＡ試行以来、ネットワーク状況が変更された可能性がある場合、プロセスは、ＵＥがＥＣプロシージャではなく、レガシプロシージャに切り替えること、またはその逆を許容してよい。また、更新されたネットワーク状況は、ＵＥに、異なるＥＣレベルから開始するように指示してよい。
【００４９】
本明細書に記載の実施形態の場合、簡素化のため、例えばＲＲＣ接続を開始するＲＲＣ＿ＩＤＬＥにおけるＵＥによるＥＣモードのための競合ベースのＲＡプロシージャの使用が示されてよい。しかしながら、ＥＣモードのための競合ベースのＲＡプロシージャはまた、ＲＲＣ＿ＣＯＮＮＥＣＴＥＤにおけるＵＥによっても使用されてよい。また、簡素化のため、新リリース１３  ＥＣ  ＲＡパラメータおよび具現化されたプロシージャに対し、レガシの名前が使用されてよい。しかしながら、これは、これらの名前に限定されるべきではない。というのは、一部の名前は、レガシＲＡプロシージャで使用されるものと同一パラメータを指してよく、または一部の名前はまた、本明細書で説明した同一の機能を遂行すべく定義された完全に新しい異なるパラメータを指してもよい。例えば、実施形態において、ＵＥがレガシＲＡプロシージャまたはＥＣ  ＲＡプロシージャを使用するかどうかに依り、ＵＥは、ＲＡリソースを異なるように選択してよい。また、ＥＣ  ＲＡプロシージャの場合、レガシＲＡパラメータの異なる値、あるいはＥＣモードまたは各ＥＣレベルに対し、異なるまたは新しいパラメータさえ定義されてよい。例えば、ＲＡプロシージャに含まれるパラメータであってよいバックオフ時間は、ＥＣレベル毎に１または複数の異なる値を有してよく、または異なるパラメータが、各ＥＣレベルに対し定義されてよい。別の例において、レガシＲＡプロシージャがＥＣ  ＲＡプロシージャに移行してよいときをトリガすべく、ＰＲＥＡＭＢＬＥ＿ＴＲＡＮＳ＿ＭＡＸ値が更新されてよく、または新しいパラメータが定義されてよい。代替的に、ＥＣモードがＲＡプロシージャで使用される場合、プリアンブル送信のための電力ランプは考慮されなくてよい。というのは、ＵＥは、カバレッジが乏しい難解な場所においては、最大送信電力を使用してよいからである。実施形態において、新リリース１３基準または条件は、仕様において定義されてよく、またはＵＥが、どのパラメータ若しくは値がＥＣ  ＲＡプロシージャ若しくは特定のＥＣ  ＲＡレベルに対し使用されるべきかを認識できるようにブロードキャストされてよい。
【００５０】
図３Ａ、３Ｂおよび３Ｃは、様々な実施形態による、ＵＥがＥＣ  ＲＡＲを受信するときにＵＥによって使用されてよいＥＣ  ＲＡＲウィンドウ内にＲＡＲ機会を実装するための例示的なフレーム構造を示すダイアグラムである。
【００５１】
図３Ａ中、ダイアグラム３００は、一連のフレーム３０２内におけるＥＣ  ＲＡＲウィンドウ３０４の一実装を示す。実施形態において、ＥＣ  ＲＡＲウィンドウ３０４は、ＥＣ  ＲＡプリアンブル送信１０８が完了すべき位置から、ｋ個のサブフレーム置いた後に開始してよい。実施形態において、ｋは、例えば、レガシのロングタームエボリューション（ＬＴＥ）ＲＡプロシージャに従い動作するデバイスに対応すべく、３の値に定義されてよく、またはｋは、例えば、低減された帯域幅のＵＥおよびＥＣモードをサポートするためのｅＮＢに対する増大した処理要件に対応すべく、より大きい値であってよい。
【００５２】
実施形態において、ＥＣ  ＲＡＲウィンドウ３０４は、１または複数のＥＣ  ＲＡＲ機会３０６を含んでよい。ＥＣ  ＲＡＲウィンドウ３０４内のＥＣ  ＲＡＲ機会３０６ａ、３０６ｂ、３０６ｃの数は、仕様において定義されてよく、またはＥＣ  ＲＡプリアンブル割り当て１０６の一部としてブロードキャストされてよい。実施形態において、第１のＥＣ  ＲＡＲ３０６ａは、ＥＣ  ＲＡＲウィンドウ３０４と同一のサブフレームで開始してよい。ＥＣ  ＲＡＲ機会３０６ａの長さは異なってよい。例えば、その長さは、ＥＣレベルに要求される反復数に依存してよく、または実際のＥＣ  ＲＡＲメッセージ１１０を搬送するＥＣ  ＲＡＲ機会３０６ａ内のサブフレーム数に依存してよい。実施形態において、これは、ＥＣレベルによって許容される反復送信に起因して、複数回再送されるＥＣ  ＲＡＲメッセージ１１０に起因してよい。ダイアグラム３００は、ＥＣ  ＲＡＲ機会３０６ａ、３０６ｂ、３０６ｃにおけるすべてのサブフレームがＥＣ  ＲＡＲメッセージ１１０を搬送する例を示す。
【００５３】
実施形態において、特定のＥＣレベルに対するＥＣ  ＲＡプリアンブル１０６の第１の送信は、複数のＲＡプリアンブルサブフレーム３０２ａ内で生じてよい。実施形態において、ｅＮＢが、ＵＥが特定のＥＣレベルを使用していることを認識できるようにするため、特定のＥＣ  ＲＡプリアンブル３０２ａ１が、特定の時間および周波数（すなわち、リソース）において送信されてよい。実施形態において、ＥＣ  ＲＡプリアンブルはまた、このＵＥがリリース１３  ＬＣであるかどうかを識別してよい。実施形態において、ＥＣ  ＲＡプリアンブル３０２ａ２に係る後続の送信は、特定のＥＣレベルのためのＥＣ  ＲＡＣＨプロセスを使用してよい。例えば、ＥＣ  ＲＡプリアンブル３０２ａ２に係る後続の送信は、異なるサブフレーム（不図示）内であってよい。
【００５４】
実施形態において、ＥＣ  ＲＡプリアンブル３０２ａに係る１または複数の送信の後、ＵＥは、ＥＣ  ＲＡＲウィンドウ３０４を開始する前に、ｋ個のサブフレーム分待機してよい。
【００５５】
実施形態において、ＲＡＲ機会３０６は、ＥＣ  ＲＡＲウィンドウと同一数のサブフレームを有してよい。いくつかの実施形態において、ＥＣ  ＲＡＲウィンドウ３０４内に、第１のＥＣ  ＲＡＲ機会３０６ａが存在してよい。ＵＥは、ＥＣ  ＲＡＲメッセージ１１０がデコーディングされ得るように、第１のＥＣ  ＲＡＲ機会３０６ａ内の各サブフレームのＥＣ  ＲＡＲ関連リソースを結合してよい。実施形態において、ＵＥは次に、ＲＡ‐ＲＮＴＩを検索してよく、ＲＡ−ＲＮＴＩが見つかった場合、ＵＥは次に、ＲＡＲメッセージを検索してよい。実施形態において、ＥＣ  ＲＡＲウィンドウ３０６の第２のＥＣ  ＲＡＲ機会３０６ｂが識別されてよい。実施形態において、これは、ＥＣ  ＲＡＲメッセージ１１０の後続の送信に応じて、例えば、ＥＣ  ＲＡプリアンブル１０８再送のうちの１つへの応答であってよく、ここで、反復数はＥＣレベルに基づいて識別されてよい。
【００５６】
実施形態において、特定のＥＣレベルを使用するＵＥ１０２は、アップリンクおよびダウンリンク方向それぞれに対し、ｘ３１０およびｙ３０８のＥＣ合計反復を要求してよく、ここで、ｘ３１０またはｙ３０８は、アップリンクおよびダウンリンクに対し同一または異なる値を有してよい。これらの実施形態において、ＥＣ反復は連続的である。
【００５７】
実施形態において、ＥＣ  ＲＡＲメッセージ１１０が正常にデコーディングされた後、例えば、第２のＥＣ  ＲＡＲ機会３０６ｂから受信されたデータを使用して、ＵＥは、デコーディングされたＥＣ  ＲＡＲメッセージ１１０から割り当てられた許可（グラント）に従い、ＵＬにおいてＥＣスケジューリングされた送信１１２を送信する前に、ｚ３１２サブフレーム分待機してよい。この例においては、ＵＥは既にｅＮＢからのＲＡＲメッセージを正常にデコーディング済みであるので、他のＥＣ  ＲＡＲ機会３０６ｃは無視されてよい。
【００５８】
実施形態において、ＥＣ  ＲＡＲウィンドウ３０４は複数の方法で形成されてよい。例えば、ＥＣ  ＲＡＲウィンドウ３０４は、１つの特定のＥＣレベルのＥＣ  ＲＡＲ機会３０６ａ、３０６ｂ、３０６ｃによって形成されてよい。実施形態において、そのＥＣ  ＲＡＲウィンドウをチェックしてよいＵＥは、同一のＥＣレベル要件を有するであろう。結果的に、ネットワークは、各ＥＣレベルに対し、異なるＥＣ  ＲＡＲウィンドウ３０４領域を有してよく、それは時間、周波数および／または要求されるＥＣ反復数において異なる位置を有してよい。
【００５９】
実施形態において、ＥＣ  ＲＡＲ機会３０６ａ、３０６ｂ、３０６ｃは、異なるＥＣレベルに基づいて異なってよい。これらの実施形態において、どのＥＣレベルが各ＥＣ  ＲＡＲ機会（不図示）に対応してよいかをネットワークが示してよい、または３ＧＰＰ  ＬＴＥ仕様がそれを定義してよい。実施形態において、同一のＥＣレベルのすべての機会が連続的に配置されてよく、またはそれらは交互に配置されてよい。
【００６０】
図３Ｂ中、ダイアグラム３２５は、ＥＣ  ＲＡＲ機会３０６ａ、３０６ｂ、３０６ｃにおけるすべてのサブフレームがＥＣ  ＲＡＲメッセージ１１０を搬送するわけではないＥＣ  ＲＡＲウィンドウの例を示す。例えば、ＵＥ１０２は、各ダウンリンクおよびアップリンク方向のそれぞれに対し、ｘ３１６およびｙ３１４のＥＣ合計反復を要求してよいＥＣレベルを使用していてよく、ここで、ｘ３１６およびｙ３１４は、同一または異なる値を有してよい。この例において、ＥＣ反復は、連続的なサブフレームにおけるものではない。
【００６１】
図３Ｃ中、ダイアグラム３５０は、ＥＣ  ＲＡＲメッセージ１１０に加え、ＲＡ制御インジケータ（ＥＣ  ＲＡ‐ＲＮＴＩ）が受信された場合、ＥＣ  ＲＡＲ機会３０６ａ、３０６ｂ、３０６ｃの長さはまた異なってよい実施形態を示す。例えば、第２のＥＣ  ＲＡＲ機会ウィンドウ３１８においては、ＲＡ制御識別子３１８ａがＲＡＲメッセージ３１８ｂの先頭に追加されている。この例３５０においては、ＥＣ反復は、連続的である。実施形態において、ＲＡ制御識別子３１８ａ領域は、他のＲＡＲメッセージングのために使用されてよい。
【００６２】
ＲＡＲ機会ウィンドウに追加された追加のメッセージは、リリース１３拡張物理ダウンリンク制御チャネル（ｅＰＤＣＣＨ）に基づいてよいＭＴＣのための物理ダウンリンク制御チャネル（ＰＤＣＣＨ）の反復に起因してよい。ＥＣ  ＲＡ‐ＲＮＴＩでスクランブルされたその巡回冗長検査（ＣＲＣ）と共に、このＰＤＣＣＨによって搬送されるダウンリンク制御情報（ＤＣＩ）は、クロスサブフレームスケジューリングを使用してＲＡＲメッセージの送信をスケジューリングしてよい。
【００６３】
実施形態（不図示）において、ＥＣ  ＲＡプリアンブル、ＥＣ  ＲＡＲウィンドウ、およびＥＣ  ＲＡＲ機会等の一部のＥＣ  ＲＡパラメータは、例えば、５デシベル（ｄＢ）ＥＣに対し、１０ｄＢ  ＥＣといったように、ＥＣレベルに依り異なって定義されてよい。例としては、異なる開始時間、周波数リソースの異なる割り当て、または要求されるＥＣ反復数が含まれてよい。
【００６４】
また、実施形態において、ＥＣモードでＵＥとｅＮＢとの間で送信される各ＲＡメッセージに対するＥＣ反復数は、各メッセージに対し、同一であってよく、または異なってよい。実施形態において、当該反復数は、ＥＣモードでＵＥとｅＮＢとの間で送信された前のメッセージのうちの１または複数の再送数に基づいて、異なってよい。例えば、ＥＣ  ＲＡＲメッセージ１１０の再送数は、ダウンリンクタイミングとアップリンクタイミングとの間の差異に基づく調整を含めた、ＥＣ  ＲＡプリアンブル１０８の再送数の関数であってよい。別の例において、ＥＣスケジューリングされた送信１１２の反復数は、ＥＣ  ＲＡＲメッセージ１１０内で示されてよく、またはそれ以外の方法で指定されてよい。
【００６５】
図４は、様々な実施形態による、ＥＣモードにおけるＵＥ宛てのＳＩに対し、異なる変更期間を実装するためのフレーム構造を示すダイアグラムである。
【００６６】
実施形態において、ダイアグラム４００は、リリース１３  ＬＣ  ＵＥおよびＥＣモードを使用可能なリリース１３  ＵＥ等のリリース１３の低複雑性および遅延トレラントのＵＥに使用されてよいｒＳＩＢ１を示す。セル固有の構成情報を含むこのｒＳＩＢ１は、レガシＳＩＢと同様に、Ｎ＋ｋ＊Ｍフレーム４０４のインスタンス以外のインスタンスにおいて、変更されてよい。実施形態において、ｒＳＩＢ１を実装することは、レガシのネットワーク動作に対する影響および制約を軽減する利点を有してよい。
【００６７】
実施形態において、第１のｒＳＩＢであるｒＳＩＢ１  ４０６は、レガシＳＩＢと同一の変更期間を有してよく、ｒＳＩＢ１  ４０６はまた、Ｎ＋Ｍフレーム４０８において更新されてよい。実施形態において、セル固有の構成情報を含まない他のｒＳＩＢ  ４１０は、より低頻度において変更されてよく、例えば、より長い変更期間でより低頻度でといった具合である。実施形態において、ｒＳＩＢ１  ４０６および他のＳＩＢ４１２は、同一の変更期間を有してよく、Ｎ＋ｋ＊Ｍフレーム４０４の終了において、更新されてよい。
【００６８】
図５は、本開示の様々な実施形態による、図１のＵＥ１０２の簡略ブロック図を示す。図５中に図示の通り、ＵＥ１０２は、プロセッサ５１０、無線周波数（ＲＦ）回路５４０およびメモリ５２０を含む。プロセッサ５１０は、１または複数のシングルコアプロセッサまたはマルチコアプロセッサを含んでよく、汎用プロセッサおよび専用プロセッサ（例えば、グラフィックプロセッサ、アプリケーションプロセッサ、ベースバンドプロセッサ等）の任意の組み合わせを含んでよい。様々な実施形態により、プロセッサ５１０（および特に、プロセッサ５１０のベースバンドチップセット）は、構成ロジックを含んでよい。構成ロジックは、競合ベースのＲＡプロシージャ中に使用されるべき最初のＥＣレベルを識別するように動作可能であってよく、当該ＥＣレベルは、少なくとも関連付けられた電力レベル、時間ウィンドウ、および送信試行数を有する。構成ロジックは、識別されたＥＣレベルに基づいて、第１のメッセージを無線アクセスネットワーク（ＲＡＮ）に送信するように動作可能であってよい。構成ロジックは、ＲＡＮからの第１のメッセージに応答する第２のメッセージが、時間ウィンドウ内で受信されたかどうかを判断するように動作可能であってよい。構成ロジックは、ｅＮＢからの第２のメッセージが時間ウィンドウ内で受信された場合、受信された第２のメッセージをデコーディングするように動作可能であってよい。構成ロジックは、ｅＮＢからの第２のメッセージが時間ウィンドウ内で受信されなかった場合、第１のメッセージをＲＡＮに再送信し、特定の数値を有する送信カウンタを使用して第１のメッセージが送信された回数を追跡し、第２のメッセージが時間ウィンドウ内で受信されるかどうかという判断および送信カウンタの送信閾値との比較に基づいて、ＥＣ  ＲＡプロシージャが正常に完了しなかったという指標を出力するように動作可能であってよい。
【００６９】
ＲＦ回路５４０は、例えば、バス５３０を介して、プロセッサ５１０に連結されてよく、データの送信または受信に使用されてよい。
【００７０】
メモリ５２０は、命令が格納された１または複数の非一時的なコンピュータ可読媒体を含んでよく、命令はプロセッサ５１０による実行時、ＵＥ１０２に対し、プロセッサ５１０に関し記載した上記処理を実行させてよい。しかしながら、これは限定ではなく単なる例示であり、当業者は、ソフトウェア、ハードウェア、ファームウェアまたはそれらの任意の組み合わせにおける代替的な実装を想起するであろう。
【００７１】
図６は、様々な実施形態による、ｅＮＢ回路、ＵＥ回路、または何らかの他のタイプの回路であってよい電子デバイス回路６０２を示す。実施形態において、電子デバイス回路６０２は、ｅＮＢ、ＵＥ、または何らかの他のタイプの電子デバイスであってよく、またはそれらに組み込まれてよく、あるいはそれらの一部であってよい。実施形態において、電子デバイス回路６０２は、制御回路６０６に連結された無線送信回路および無線受信回路を含んでよい。実施形態において、送信回路６０４および／または受信回路６０８は、図示の通り、送受信機回路の要素またはモジュールであってよい。電子デバイス回路６０２は、１または複数のアンテナ６１０の１または複数のアンテナ素子と連結されてよい。電子デバイス回路および／または電子デバイス回路のコンポーネントは、本開示の他の箇所に記載されたものと類似する処理を実行するように構成されてよい。
【００７２】
電子デバイス回路６０２がＵＥである、またはＵＥの一部である、あるいはＵＥに組み込まれた実施形態においては、ＵＥは、ＥＣモードに従い動作可能であってよい。制御回路６０６は、ＥＣモードを識別してよい。制御回路６０６はさらに、ＥＣモードに従い動作してよい。送信回路６０４および／または受信回路６０８は、ＥＣモードに従い、１または複数の信号または送信を送信および／または受信してよい。
【００７３】
電子デバイス回路６０２がｅＮＢである、またはｅＮＢの一部である、あるいはｅＮＢに組み込まれた実施形態においては、電子デバイスは、ＳＩの送信および更新に対し異なる変更期間の処理が可能であってよい。制御回路６０６は、複数の変更期間から変更期間を識別してよい。送信回路６０４は、識別された変更期間に従い、ＳＩの送信および／または更新を送信してよい。
【００７４】
本明細書で使用されるとき、「回路」という用語は、１または複数のソフトウェアまたはファームウェアプログラムを実行する特定用途向け集積回路（ＡＳＩＣ）、電子回路、プロセッサ（共有、専用、またはグループ）、および／またはメモリ（共有、専用、またはグループ）、組み合わせロジック回路、並びに／または記載された機能を提供する他の好適なハードウェアコンポーネントを指してよく、それらの一部であってよく、またはそれらを含んでよい。いくつかの実施形態において、電子デバイス回路６０２は、１または複数のソフトウェアまたはファームウェアモジュール内に実装されてよく、または回路に関連する諸機能は、１または複数のソフトウェアまたはファームウェアモジュールによって実装されてよい。
【００７５】
本明細書に記載の実施形態は、任意の好適に構成されたハードウェアおよび／またはソフトウェアを使用して、システムへ実装されてよい。図７は、少なくとも図示の通り互いに連結されたＲＦ回路７０４、ベースバンド回路７０６、アプリケーション回路７０８、メモリ／ストレージ７１０、ディスプレイ７１２、カメラ７１４、センサ７１６、および入／出力（Ｉ／Ｏ）インタフェース７１８を備える一実施形態の例示的なシステム７０２を示す。
【００７６】
アプリケーション回路７０８は、限定はされないが、１または複数のシングルコアプロセッサまたはマルチコアプロセッサ等の回路を含んでよい。プロセッサは、汎用プロセッサおよび専用プロセッサ（例えば、グラフィックプロセッサ、アプリケーションプロセッサ等）の任意の組み合わせを含んでよい。プロセッサは、メモリ／ストレージに連結されてよく、およびプロセッサは、様々なアプリケーションおよび／またはオペレーティングシステムがシステム上で実行できるようにするためのメモリ／ストレージ内に格納された命令を実行するように構成されてよい。
【００７７】
ベースバンド回路７０６は、限定はされないが、１または複数のシングルコアまたはマルチコアプロセッサ等の回路を含んでよい。プロセッサは、ベースバンドプロセッサを含んでよい。ベースバンド回路７０６は、ＲＦ回路を介して１または複数の無線ネットワークとの通信を可能にする様々な無線制御機能を処理してよい。無線制御機能としては、限定はされないが、信号変調、エンコーディング、デコーディング、無線周波数シフト等が含まれてよい。いくつかの実施形態において、ベースバンド回路７０６は、１または複数の無線技術と互換性のある通信を提供してよい。例えば、いくつかの実施形態において、ベースバンド回路７０６は、進化型ユニバーサル地上波無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。ベースバンド回路が、２つ以上の無線プロトコルの無線通信をサポートするように構成されている実施形態は、マルチモードベースバンド回路と称されてよい。
【００７８】
様々な実施形態において、ベースバンド回路７０６は、厳密にはベースバンド周波数内に存在するとものとしては考えられない信号を処理する回路を含んでよい。例えば、いくつかの実施形態において、ベースバンド回路７０６は、ベースバンド周波数と無線周波数との間の中間周波数を有する信号を処理する回路を含んでよい。
【００７９】
ＲＦ回路７０４は、非固体媒体を介して変調された電磁放射を使用する無線ネットワークとの通信を有効にしてよい。様々な実施形態において、ＲＦ回路７０４は、無線ネットワークとの通信を容易にするためのスイッチ、フィルタ、増幅器等を含んでよい。
【００８０】
様々な実施形態において、ＲＦ回路７０４は、厳密には無線周波数内に存在するものとしては考えられない信号を処理する回路を含んでよい。例えば、いくつかの実施形態において、ＲＦ回路７０４は、ベースバンド周波数と無線周波数との間の中間周波数を有する信号を処理する回路を含んでよい。
【００８１】
様々な実施形態において、本明細書で説明された、または記載された送信回路６０４、制御回路６０６、および／または受信回路６０８は、ＲＦ回路、ベースバンド回路、および／またはアプリケーション回路のうちの１または複数において全体的にまたは部分的に、具現化されてよい。本明細書で使用される「回路」という用語は、１または複数のソフトウェアまたはファームウェアプログラムを実行するＡＳＩＣ、電子回路、プロセッサ（共有、専用、またはグループ）、および／またはメモリ（共有、専用、またはグループ）、組み合わせロジック回路、並びに／または記載された機能を提供する他の好適なハードウェアコンポーネントを指してよく、それらの一部であってよく、またはそれらを含んでよい。いくつかの実施形態において、電子デバイス回路は、１または複数のソフトウェアまたはファームウェアモジュール内に実装されてよく、または回路に関連する諸機能は、１または複数のソフトウェアまたはファームウェアモジュールによって実装されてよい。
【００８２】
いくつかの実施形態において、ベースバンド回路、アプリケーション回路および／またはメモリ／ストレージの構成コンポーネントのうちの一部または全部が、システムオンチップ（ＳＯＣ）上に一緒に実装されてよい。
【００８３】
メモリ／ストレージ７１０は、例えば、システムのためのデータおよび／または命令をロードおよびストアするために使用されてよい。一実施形態のメモリ／ストレージ７１０は、好適な揮発性メモリ（例えば、ダイナミックランダムアクセスメモリ（ＤＲＡＭ））および／または不揮発性メモリ（例えば、フラッシュメモリ）の任意の組み合わせを含んでよい。
【００８４】
様々な実施形態において、Ｉ／Ｏインタフェース７１８は、システムとのユーザインタラクションを可能にするように設計された１または複数のユーザインタフェース、および／または、システムとの周辺機器コンポーネントインタラクションを可能にするように設計された１または複数の周辺機器コンポーネントインタフェースを含んでよい。ユーザインタフェースとしては、限定はされないが、物理的なキーボードまたはキーパッド、タッチパッド、スピーカ、マイク等が含まれてよい。周辺機器コンポーネントインタフェースとしては、限定はされないが、不揮発性メモリポート、ユニバーサルシリアルバス（ＵＳＢ）ポート、オーディオジャック、および電源インタフェースが含まれてよい。
【００８５】
様々な実施形態において、センサ７１６は、環境条件および／またはシステムに関連する位置情報を判断するための１または複数の感知デバイスを含んでよい。いくつかの実施形態において、センサ７１６としては、限定はされないが、ジャイロセンサ、加速度計、近接センサ、環境光センサ、および位置決めユニットが含まれてよい。位置決めユニットはまた、例えば、全地球測位システム（ＧＰＳ）衛星等の位置決めネットワークのコンポーネントと通信すべく、ベースバンド回路７０６ａおよび／またはＲＦ回路７０４の一部であってよい、またはそれらと対話してよい。
【００８６】
様々な実施形態において、ディスプレイ７１２は、液晶ディスプレイ、タッチスクリーンディスプレイ等を含んでよい。
【００８７】
様々な実施形態において、システム７０２は、限定はされないが、ラップトップコンピューティングデバイス、タブレットコンピューティングデバイス、ネットブック、ウルトラブック、スマートフォン等のモバイルコンピューティングデバイスであってよい。様々な実施形態において、システムは、より多いまたは少ない数のコンポーネントおよび／または異なるアーキテクチャを有してよい。
【００８８】
様々な実施形態において、システム７０２は、限定はされないが、ラップトップコンピューティングデバイス、タブレットコンピューティングデバイス、ネットブック、ウルトラブック、スマートフォン等のモバイルコンピューティングデバイスであってよい。様々な実施形態において、システムは、より多いまたは少ない数のコンポーネントおよび／または異なるアーキテクチャを有してよい。例えば、いくつかの実施形態において、ＲＦ回路７０４および／またはベースバンド回路７０６は、通信回路（不図示）内に具現化されてよい。通信回路は、限定はされないが、通信が行われる適切な通信インタフェースに対し好適である、例えば、エンコーディング、変調、フィルタリング、変換、増幅等の信号処理技術を提供するための１または複数のシングルコアプロセッサまたはマルチコアプロセッサおよびロジック回路等の回路を含んでよい。通信回路は、有線、光通信媒体、または無線通信媒体上で通信してよい。システムが、無線通信用に構成されている実施形態においては、通信回路は、１または複数の無線技術と互換性のある通信を提供するためのＲＦ回路および／またはベースバンド回路を含んでよい。例えば、いくつかの実施形態において、通信回路は、進化型ユニバーサル地上波無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。
【００８９】
本明細書に記載の技術に係る実施形態は、３ＧＰＰロングタームエボリューション（ＬＴＥ）またはＬＴＥアドバンスト（ＬＴＥ‐Ａ）規格に関連して説明されてよい。例えば、ｅＮＢ、モビリティ管理エンティティ（ＭＭＥ）、ＵＥ等の用語またはエンティティは、ＬＴＥ関連の用語またはエンティティとして使用されてよい、またはみなされてよい。しかしながら、他の実施形態においては、当該技術は、他の無線技術においてまたは他の無線技術と関連させて使用されてよく、それらとしては例えば、米国電気電子学会（ＩＥＥＥ）８０２．１６無線技術（ＷｉＭＡＸ）、ＩＥＥＥ８０２．１１無線技術（ＷｉＦｉ）、移動体通信用グローバルシステム（ＧＳＭ（登録商標））、ＧＳＭ（登録商標）エボリューションのための拡張されたデータレート（ＥＤＧＥ）、ＧＳＭ（登録商標）ＥＤＧＥ無線アクセスネットワーク（ＧＥＲＡＮ）、ユニバーサル移動通信システム（ＵＭＴＳ）、ＵＭＴＳ地上無線アクセスネットワーク（ＵＴＲＡＮ）、または既に開発済みの若しくは開発されるべき他の２Ｇ、３Ｇ、４Ｇ、５Ｇ等の様々な他の無線技術が含まれる。ｅＮＢ、ＭＭＥ、ＵＥ等のＬＴＥ関連の用語が使用されるそれらの実施形態においては、当該ＬＴＥベースの用語またはエンティティのうちの１または複数と同等またはほぼ同等であると考えられてよい１または複数のエンティティまたはコンポーネントが使用されてよい。いくつかの非限定的な例として、以下が含まれてよい。
【００９０】
例１は、拡張カバレッジ（ＥＣ）モードに従い動作可能なユーザ機器（ＵＥ）を含んでよく、上記ＵＥは、上記ＥＣモードを識別し、上記ＥＣモードに従い動作するための制御回路と、上記制御回路に連結された送信および／または受信回路と、を備え、上記送信および／または受信回路は、上記ＥＣモードに従い、１または複数の信号または送信を送信および／または受信するためのものである。
【００９１】
例２は、例１または本明細書のいくつかの他の例の主題を含んでよく、上記制御回路、送信回路、および／または受信回路は、さらに、そのカバレッジを向上させるべく、メッセージの複数の再送を送信、受信および／または結合する。
【００９２】
例３は、例１または本明細書のいくつかの他の例の主題を含んでよく、上記ＵＥは、標準のシステム帯域幅（ＢＷ）に加え、全システムＢＷ内における低減されたＢＷで動作する。
【００９３】
例４は、例１または本明細書のいくつかの他の例の主題を含んでよく、上記ＵＥは、遅延トレラントのマシンタイプ通信（ＭＴＣ）で動作する。
【００９４】
例５は、例１または本明細書のいくつかの他の例の主題を含んでよく、上記ＵＥは、所望のカバレッジ向上に基づき、１または複数の異なるＥＣレベルの使用をトリガしてよい。
【００９５】
例６は、例１または本明細書のいくつかの他の例の主題を含んでよく、上記ＵＥは、ランダムアクセス（ＲＡ）プロシージャのためのＥＣモードを使用してよい。
【００９６】
例７は、例６または本明細書のいくつかの他の例の主題を含んでよく、上記ＵＥは、競合ベースのＲＡプロシージャのためのＥＣモードを使用してよい。
【００９７】
例８は、例６または本明細書のいくつかの他の例の主題を含んでよく、ＲＡプロシージャのためのＥＣモードを使用するための上記トリガイベントは、所望のＥＣレベルに関連し、または基づいてよい。
【００９８】
例９は、例６または本明細書のいくつかの他の例の主題を含んでよく、ＲＡプロシージャのためのＥＣモードを使用するための上記トリガは、標準（レガシ）ＲＡプロシージャのエラーに基づいて、または関連してよい。
【００９９】
例１０は、例６または本明細書のいくつかの他の例の主題を含んでよく、ＲＡプロシージャのためのＥＣモードを使用するための上記トリガは、プリアンブル送信の最大数、最大プリアンブル送信電力または測定された参照信号電力／品質（ＲＳＲＰ／ＲＳＲＱ）のための閾値等の特定の閾値、基準または条件に到達することに関連し、または基づいてよい。
【０１００】
例１１は、例６または本明細書のいくつかの他の例の主題を含んでよく、上記ＵＥは、上記ＥＣレベルに依り、異なるＲＡ構成情報を使用してよい。
【０１０１】
例１２は、例６または本明細書のいくつかの他の例の主題を含んでよく、上記制御回路は、ＲＡメッセージ２（ＲＡＲ）の受信のエラーに起因して、ＥＣモードの使用をトリガしてよい。
【０１０２】
例１３は、例６または本明細書のいくつかの他の例の主題を含んでよく、上記ＵＥは、ＲＡメッセージ４（ＲＲＣ接続セットアップ等）の受信のエラーに起因して、ＥＣモードの使用をトリガしてよい。
【０１０３】
例１４は、例６または本明細書のいくつかの他の例の主題を含んでよく、上記ＵＥは、拡張カバレッジランダムアクセス応答（ＥＣ  ＲＡＲ）ウィンドウを使用して、ＲＡメッセージ１（ＲＡプリアンブル）に応答して送信されたＲＡメッセージ２（ＲＡＲ）をモニタリングしてよい。
【０１０４】
例１５は、例１４または本明細書のいくつかの他の例の主題を含んでよく、ＥＣ  ＲＡＲ機会が、ＥＣ  ＲＡＲウィンドウ内で定義されてよい。
【０１０５】
例１６は、例１４または本明細書のいくつかの他の例の主題を含んでよく、上記ＲＡメッセージ２の再送は、既知のパターン、すなわち予め定義された、または予め構成されたパターンで、ＥＣ  ＲＡＲ機会内でスケジューリングされてよい。
【０１０６】
例１７は、例１４または本明細書のいくつかの他の例の主題を含んでよく、上記ＲＡメッセージ２の再送は、上記ＥＣ  ＲＡＲ機会内のすべてのサブフレーム内に含まれなくてよい。
【０１０７】
例１８は、例１４または本明細書のいくつかの他の例の主題を含んでよく、上記ＥＣ  ＲＡＲ機会内で、ＥＣ  ＲＡメッセージ２（ＲＡＲ）に加え、上記ＥＣ  ＲＡ制御識別子（すなわち、ＥＣ  ＲＡ無線ネットワーク一時識別子（ＲＮＴＩ））を搬送する制御情報が送信される。
【０１０８】
例１９は、例１８または本明細書のいくつかの他の例の主題を含んでよく、上記ＵＥは、上記ＵＥに宛てられた上記ＥＣ  ＲＡ  ＲＮＴＩを含む制御情報が受信されない場合、ＥＣ  ＲＡメッセージ２を受信する必要がなくてよい。
【０１０９】
例２０は、システム情報（ＳＩ）の送信および更新のための異なる変更期間の処理が可能な進化型ノードＢ（ｅＮＢ）を含んでよく、上記ｅＮＢは、複数の変更期間から、変更期間を識別するための制御回路と、上記識別された変更期間に従い、ＳＩの送信および／または更新を送信するための送信回路と、を備える。
【０１１０】
例２１は、例２０または本明細書のいくつかの他の例の主題を含んでよく、上記ｅＮＢは、標準モードにおいて、およびＥＣモードにおいて、セルを処理可能であってよい。
【０１１１】
例２２は、例２０または本明細書のいくつかの他の例の主題を含んでよく、上記ｅＮＢは、標準モードに特有のおよびＥＣモードに特有のシステム情報の送信および更新のための異なる変更期間を定義してよい。
【０１１２】
例２３は、例２０または本明細書のいくつかの他の例の主題を含んでよく、上記ｅＮＢは、標準（レガシ）ＵＥと同一の値を持つセル構成に特有のＳＩパラメータのための変更期間を定義してよい。
【０１１３】
例２４は、例１から１９または本明細書のいくつかの他の例のＵＥによって、特定の閾値、基準、構成および／または要件に基づいて、レガシＲＡプロシージャと、ＥＣ  ＲＡプロシージャとの間で選択すべく判断する段階を備える方法を含んでよい。
【０１１４】
例２５は、例２４または本明細書のいくつかの他の例の主題を含んでよく、上記閾値、基準、構成および／または要件は、上記ＵＥにおいて予め構成されているか、またはネットワークによって、ユニキャストおよび／またはブロードキャストメッセージを使用して、上記ＵＥに対しシグナリングされる。
【０１１５】
例２６は、例２４または本明細書のいくつかの他の例の主題を含んでよく、ＥＣを要求するＵＥをサポートすべく、ＲＡメッセージ１（プリアンブル）の再送を含んでよい。
【０１１６】
例２７は、例２６または本明細書のいくつかの他の例の主題を含んでよく、ＥＣを要求する上記ＵＥをサポートすべく、後続のＲＡ応答およびメッセージの対応する再送をさらに含んでよい。
【０１１７】
例２８は、例２０から２３または本明細書のいくつかの他の例のｅＮＢのための方法を含んでよく、例１から１９の上記ＵＥに対し、専用、ユニキャストまたはブロードキャストメッセージングを使用して、上記ＥＣ  ＵＥに対する上記特定の閾値、基準、構成および／または要件を通知する段階を含む。
【０１１８】
例２９は、例２４から２８のいずれか、若しくは本明細書に記載の任意の他の例、方法若しくはプロセスにおいて記載された、またはこれらに関連して記載された方法に係る１または複数の構成要素を実行するための手段を備える装置を含んでよい。
【０１１９】
例３０は、命令を備えた１または複数の非一時的コンピュータ可読媒体を含んでよく、上記命令は、電子デバイスの１または複数のプロセッサによる上記命令の実行時、上記電子デバイスに対し、例２４から２８のいずれか、若しくは本明細書に記載の任意の他の例、方法若しくはプロセスにおいて記載された、またはこれらに関連して記載された方法に係る１または複数の構成要素を実行させる。
【０１２０】
例３１は、例２４から２８のいずれか、若しくは本明細書に記載の任意の他の例、方法若しくはプロセスにおいて記載された、またはこれらに関連して記載された方法に係る１または複数の構成要素を実行するための制御回路、送信回路および／または受信回路を備える装置を含んでよい。
【０１２１】
例３２は、図示および本明細書に記載された無線ネットワークにおいて通信する方法を含んでよい。
【０１２２】
例３３は、図示および本明細書に記載された無線通信を提供するためのシステムを含んでよい。
【０１２３】
例３４は、図示および本明細書に記載された無線通信を提供するためのデバイスを含んでよい。
【０１２４】
例３５は、ユーザ機器（ＵＥ）に使用される装置であって、１または複数のプロセッサと、上記１または複数のプロセッサに連結された、命令を有するメモリと、を備え、上記命令は、実行時に、上記１または複数のプロセッサに、競合ベースのランダムアクセス（ＲＡ）プロシージャ中に無線セルで使用されるべき最初の拡張カバレッジ（ＥＣ）レベルを識別させ、上記ＥＣレベルは少なくとも関連付けられた電力レベル、時間ウィンドウ、および送信試行数を有しており、上記識別されたＥＣレベルに基づいて、第１のメッセージを無線アクセスネットワーク（ＲＡＮ）に送信させ、上記時間ウィンドウ内で、上記第１のメッセージに応答する第２のメッセージが上記ＲＡＮから受信されるかどうかを判断させ、上記時間ウィンドウ内で、上記第２のメッセージが上記ｅＮＢから受信される場合、上記受信された第２のメッセージをデコーディングさせ、上記時間ウィンドウ内で、上記第２のメッセージが上記ｅＮＢから受信されない場合、上記第１のメッセージを上記ＲＡＮに再送信させる、装置である。
【０１２５】
例３６は、例３５または本明細書のいくつかの他の例の主題を含んでよく、上記ＲＡＮは、少なくとも１つのエンハンスドノードＢ（ｅＮＢ）を含む。
【０１２６】
例３７は、例３５または本明細書のいくつかの他の例の主題を含んでよく、上記第１のメッセージを上記ＲＡＮに再送信させることは、さらに、数値を有する送信カウンタを使用して、上記第１のメッセージが送信された回数を追跡させ、時間ウィンドウ内で、上記第２のメッセージが受信されるかどうかの判断と、上記送信カウンタと送信閾値との比較とに基づいて、上記ＲＡ  ＥＣプロシージャは、正常に完了しなかったという指標を出力させることを、含む。
【０１２７】
例３８は、例３５または本明細書のいくつかの他の例の主題を含んでよく、上記第１のメッセージは、ランダムアクセス（ＲＡ）プリアンブルであり、上記第２のメッセージは、ランダムアクセス応答（ＲＡＲ）である。
【０１２８】
例３９は、例３５または本明細書のいくつかの他の例の主題を含んでよく、最初のＥＣレベルは、上記ＵＥにおいて構成されているか、またはシステム情報ブロック（ＳＩＢ）内で受信される。
【０１２９】
例４０は、例３９または本明細書のいくつかの他の例の主題を含んでよく、上記ＳＩＢは、より広い帯域幅において、または低減された帯域幅において受信される。
【０１３０】
例４１は、例３５または本明細書のいくつかの他の例の主題を含んでよく、上記第１のメッセージが送信される上記電力レベルは、上記送信カウンタの値、または上記ＥＣレベルの値のうちの１または複数に基づく。
【０１３１】
例４２は、例３５または本明細書のいくつかの他の例の主題を含んでよく、上記第１のメッセージを再送信させることはさらに、電力ランプを含む。
【０１３２】
例４３は、例４２または本明細書のいくつかの他の例の主題を含んでよく、上記電力ランプは、上記電力を、上記ＥＣレベルに関連付けられた最大電力レベルまで増加させることを含む。
【０１３３】
例４４は、例３５または本明細書のいくつかの他の例の主題を含んでよく、上記時間ウィンドウは、ＥＣ  ＲＡＲウィンドウ内で定義されたＥＣ  ＲＡＲ機会数および／または上記ＥＣレベルに対する上記送信試行数に少なくとも依存する。
【０１３４】
例４５は、例３５または本明細書のいくつかの他の例の主題を含んでよく、上記第１のメッセージを上記ＲＡＮに再送信させることは、さらに、上記第１のメッセージを再送信する前の遅延時間を含み、上記遅延は、少なくとも上記ＥＣレベルの関数の１つである。
【０１３５】
例４６は、例３５から４５のいずれかまたは本明細書のいくつかの他の例の主題を含んでよく、上記ＵＥは、標準カバレッジモードにおいて、およびＥＣモードにおいて動作可能であってよい。
【０１３６】
例４７は、進化型ノードＢ（ｅＮＢ）に使用される装置であって、１または複数のプロセッサと、上記１または複数のプロセッサに連結された、命令を有するメモリと、を備え、上記命令は、実行時に、上記１または複数のプロセッサに、競合ベースのランダムアクセス（ＲＡ）プロシージャ中に無線セルで使用されるべき拡張カバレッジ（ＥＣ）レベルを判断させ、上記無線セル内に位置されたユーザ機器（ＵＥ）に、システム情報ブロック（ＳＩＢ）内で、上記判断されたＥＣレベルの指標を送信させ、ＵＥからＲＡプリアンブルを受信させ、上記ＲＡプリアンブルに応答して、ランダムアクセス応答（ＲＡＲ）メッセージを送信させる、装置である。
【０１３７】
例４８は、例４７または本明細書のいくつかの他の例の主題を含んでよく、ＳＩＢ内で上記判断されたＥＣレベルの指標を送信させることは、さらに、１．４メガヘルツまたは２００キロヘルツの低減された帯域幅で送信させることを含む。
【０１３８】
例４９は、例４７または本明細書のいくつかの他の例の主題を含んでよく、上記ｅＮＢは、標準カバレッジモードにおいて、およびＥＣモードにおいて無線セルを処理してよい。
【０１３９】
例５０は、ユーザ機器（ＵＥ）に使用される装置であって、拡張カバレッジ（ＥＣ）レベルを識別するためのロジック回路と、上記識別されたＥＣレベルに基づいて、無線アクセスネットワーク（ＲＡＮ）に、ランダムアクセス（ＲＡ）プリアンブルを送信するための送信回路と、複数のサブフレームを有するＥＣランダムアクセス応答（ＲＡＲ）ウィンドウ領域を識別するためのロジック回路と、を備える、装置である。
【０１４０】
例５１は、例５０または本明細書のいくつかの他の例の主題を含んでよく、さらに、複数のサブフレームを有するＥＣランダムアクセス応答（ＲＡＲ）ウィンドウ領域を識別するためのロジック回路を備え、上記ＥＣ  ＲＡＲウィンドウ領域は、各々が連続的なサブフレームグループである１または複数のＥＣ  ＲＡＲ機会を含んでおり、第１のＥＣ  ＲＡＲ機会は、上記ＲＡＲウィンドウ領域の開始と同一のサブフレームにおいて開始し、且つ上記ＲＡプリアンブルが送信された後、Ｋ個のサブフレームを置いて開始する。
【０１４１】
例５２は、例５１または本明細書のいくつかの他の例の主題を含んでよく、上記第１のＥＣ  ＲＡＲ機会において、上記ＲＡＮから候補ＲＡＲを受信し、候補ＲＡＲがデコーディングされることが可能になるまで、上記ＲＡＮから、ＥＣ  ＲＡＲ機会からの候補ＲＡＲを受信し、候補ＲＡＲがデコーディングされることが可能になったら、上記ＲＡＮに、ＲＲＣ接続要求を送信する、ための受信回路をさらに備える。
【０１４２】
例５３は、例５０または本明細書のいくつかの他の例の主題を含んでよく、上記ＥＣ  ＲＡＲウィンドウ領域は、仕様において定義された、上記ＳＩメッセージの一部としてブロードキャストされた、上記ＥＣレベルに関連付けられた、または、ＲＡＲメッセージを含むＥＣ  ＲＡＲ機会における上記サブフレームの数に関連付けられた、値に依存する。
【０１４３】
例５４は、低減された帯域幅モードの場合に、複数のシステム情報（ＳＩ）変更期間から、無線セル構成に関連付けられたＳＩ変更期間を識別するための制御回路と、上記制御回路に連結された送信回路と、を備える進化型ノードＢ（ｅＮＢ）であって、上記送信回路は、上記識別された変更期間に従い、ＳＩメッセージを送信するｅＮＢである。
【０１４４】
例５５は、例５４または本明細書のいくつかの他の例の主題を含んでよく、上記制御回路および送信回路は、標準カバレッジモードにおいておよび／またはＥＣモードにおいて動作する。
【０１４５】
例５６は、例５４または本明細書のいくつかの他の例の主題を含んでよく、上記制御回路は、さらに、標準カバレッジのユーザ機器（ＵＥ）と同一の値を持つ無線セル構成に関連付けられたＳＩパラメータのための変更期間を定義する。
【０１４６】
例５７は、命令を備える１または複数の非一時的コンピュータ可読媒体であって、上記命令は、コンピューティングデバイスによる上記命令の実行に応答して、ユーザ機器（ＵＥ）に、競合ベースのランダムアクセス（ＲＡ）プロシージャ中に無線セルで使用されるべき最初の拡張カバレッジ（ＥＣ）レベルを識別させ、上記ＥＣレベルは少なくとも関連付けられた電力レベル、時間ウィンドウ、および送信試行数を有しており、上記識別されたＥＣレベルに基づいて、第１のメッセージを無線アクセスネットワーク（ＲＡＮ）に送信させ、上記時間ウィンドウ内で、上記第１のメッセージに応答する第２のメッセージが上記ＲＡＮから受信されるかどうかを判断させ、上記時間ウィンドウ内で、上記第２のメッセージが上記ｅＮＢから受信される場合、上記受信された第２のメッセージをデコーディングさせ、上記時間ウィンドウ内で、上記第２のメッセージが上記ｅＮＢから受信されない場合、上記第１のメッセージを上記ＲＡＮに再送信させる、１または複数の非一時的コンピュータ可読媒体である。
【０１４７】
例５８は、例５７または本明細書のいくつかの他の例の主題を含んでよく、上記ＲＡＮは、少なくとも１つのエンハンスドノードＢ（ｅＮＢ）を含む。
【０１４８】
例５９は、例５７または本明細書のいくつかの他の例の主題を含んでよく、上記第１のメッセージを上記ＲＡＮに再送信させることは、さらに、数値を有する送信カウンタを使用して、上記第１のメッセージが送信された回数を追跡させ、時間ウィンドウ内で、上記第２のメッセージが受信されるかどうかの判断と、上記送信カウンタと送信閾値との比較とに基づいて、上記ＲＡ  ＥＣプロシージャは、正常に完了しなかったという指標を出力させることを、含む。
【０１４９】
例６０は、例５７または本明細書のいくつかの他の例の主題を含んでよく、上記第１のメッセージは、ランダムアクセス（ＲＡ）プリアンブルであり、上記第２のメッセージは、ランダムアクセス応答（ＲＡＲ）である。
【０１５０】
例６１は、例５７または本明細書のいくつかの他の例の主題を含んでよく、最初のＥＣレベルは、上記ＵＥにおいて構成されているか、またはシステム情報ブロック（ＳＩＢ）内で受信される。
【０１５１】
例６２は、例６１または本明細書のいくつかの他の例の主題を含んでよく、上記ＳＩＢは、より広い帯域幅において、または低減された帯域幅において受信される。
【０１５２】
例６３は、例５７または本明細書のいくつかの他の例の主題を含んでよく、上記第１のメッセージが送信される上記電力レベルは、上記送信カウンタの値、または上記ＥＣレベルの値のうちの１または複数に基づく。
【０１５３】
例６４は、例５７または本明細書のいくつかの他の例の主題を含んでよく、上記第１のメッセージを再送信させることはさらに、電力ランプを含む。
【０１５４】
例６５は、例６４または本明細書のいくつかの他の例の主題を含んでよく、上記電力ランプは、上記電力を、上記ＥＣレベルに関連付けられた最大電力レベルまで増加させることを含む。
【０１５５】
例６６は、例５７または本明細書のいくつかの他の例の主題を含んでよく、上記時間ウィンドウは、ＥＣ  ＲＡＲウィンドウ内で定義されたＥＣ  ＲＡＲ機会数および／または上記ＥＣレベルに対する上記送信試行数に少なくとも依存する。
【０１５６】
例６７は、例５７または本明細書のいくつかの他の例の主題を含んでよく、上記第１のメッセージを上記ＲＡＮに再送信させることは、さらに、上記第１のメッセージを再送信する前の遅延時間を含み、上記遅延は、少なくとも上記ＥＣレベルの関数の１つである。
【０１５７】
例６８は、例５７から６７のいずれかまたは本明細書のいくつかの他の例の主題を含んでよく、上記ＵＥは、標準カバレッジモードにおいて、およびＥＣモードにおいて動作可能であってよい。
【０１５８】
例６９は、命令を備える１または複数の非一時的コンピュータ可読媒体であって、上記命令は、コンピューティングデバイスによる上記命令の実行に応答して、エンハンスドノードＢ（ｅＮＢ）に、競合ベースのランダムアクセス（ＲＡ）プロシージャ中に無線セルで使用されるべき拡張カバレッジ（ＥＣ）レベルを判断させ、上記無線セル内に位置されたユーザ機器（ＵＥ）に、システム情報ブロック（ＳＩＢ）内で、上記判断されたＥＣレベルの指標を送信させ、ＵＥからＲＡプリアンブルを受信させ、上記ＲＡプリアンブルに応答して、ランダムアクセス応答（ＲＡＲ）を送信させる、１または複数の非一時的コンピュータ可読媒体である。
【０１５９】
例７０は、例６９または本明細書のいくつかの他の例の主題を含んでよく、上記判断されたＥＣレベルの指標をＳＩＢ内で送信させることはさらに、より広い帯域幅において、またはより低減された帯域幅において送信させることを含む。
【０１６０】
例７１は、例６９または本明細書のいくつかの他の例の主題を含んでよく、上記ｅＮＢは、標準カバレッジにおいて、およびＥＣモードにおいて、無線セルを処理してよい。
【０１６１】
上記の詳細な説明のうちの一部は、コンピュータメモリ内のデータビットに対する操作のアルゴリズムおよびシンボリック表現の観点で示されている。これらのアルゴリズムの記述および表現は、データ処理分野における当業者によって、他の当業者に自分たちの研究の本質を最も効率的に伝達するために使用される方法である。ここでのアルゴリズムは一般的に、所望の結果をもたらすセルフコンシステントシーケンスの処理であるとみなされる。当該処理は、物理量の物理的操作を要求する処理である。
【０１６２】
しかしながら、これらの用語および類似の用語のすべては、適切な物理量に関連付けられることになり、これらの物理量に適用された単なる便宜上のラベルであることに留意されたい。具体的に反対の記載がない限り、上記から自明なように、詳細な説明にわたる、以下の特許請求の範囲に記載の用語等の用語を使用しての説明は、コンピュータシステムのレジスタおよびメモリ内に物理（電子的）量として表されたデータを操作して、コンピュータシステムのメモリ若しくはレジスタまたは他のそのような情報ストレージデバイス、送信デバイス若しくはディスプレイデバイス内の物理量として同様に表された他の類似のデータへと変換するコンピュータシステム、または類似の電子コンピューティングデバイスの動作およびプロセスを指すことを理解されたい。
【０１６３】
本開示の実施形態はまた、本明細書の処理を実行するための装置に関する。このようなコンピュータプログラムが、非一時的コンピュータ可読媒体内に格納される。機械可読媒体は、機械（例えば、コンピュータ）によって読み取り可能な形態に情報を格納するための任意のメカニズムを含む。例えば、機械可読（例えば、コンピュータ可読）媒体としては、機械（例えば、コンピュータ）可読記録媒体（例えば、リードオンリメモリ（ＲＯＭ）、ランダムアクセスメモリ（ＲＡＭ）、磁気ディスク記録媒体、光記録媒体、フラッシュメモリデバイス）が含まれる。
【０１６４】
上記の図中に示されるプロセスまたは方法は、ハードウェア（例えば、回路、専用ロジック等）、ソフトウェア（例えば、非一時的コンピュータ可読媒体上に具現化された）、またはそれら両方の組み合わせを備える処理ロジックによって実行されてよい。上記のプロセスまたは方法は、いくつかのシーケンシャル処理の観点から記載されているが、記載された処理の一部は、異なる順序で実行されてよいことを理解されたい。さらに、いくつかの処理は、シーケンシャルではなくパラレルで実行されてよい。
【０１６５】
本開示の実施形態は、いかなる特定のプログラミング言語にも関連付けて記載されていない。様々なプログラミング言語を使用して、本明細書に記載された本開示の実施形態の教示を実装できることを理解されたい。上記明細書において、本開示の実施形態は、本開示の具体的な例示的実施形態に関し記載されている。以下の特許請求の範囲に記載の本開示のより広範な精神および範囲から逸脱することなく、様々な修正をそこに加え得ることは明らかであろう。従って、明細書および図面は、限定的な意味ではなく、例示的な意味においてみなされるべきである。
（項目１）
ユーザ機器（ＵＥ）に使用される装置であって、
１または複数のプロセッサと、
上記１または複数のプロセッサに連結された、命令を有するメモリと、を備え、
上記命令は、実行時に、上記１または複数のプロセッサに、
競合ベースのランダムアクセス（ＲＡ）プロシージャ中に無線セルで使用されるべき最初の拡張カバレッジ（ＥＣ）レベルを識別させ、上記ＥＣレベルは少なくとも関連付けられた電力レベル、時間ウィンドウ、および送信試行数を有しており、
上記識別されたＥＣレベルに基づいて、第１のメッセージを無線アクセスネットワーク（ＲＡＮ）に送信させ、
上記時間ウィンドウ内で、上記第１のメッセージに応答する第２のメッセージが上記ＲＡＮから受信されるかどうかを判断させ、
上記時間ウィンドウ内で、上記第２のメッセージが上記ＲＡＮから受信される場合、上記受信された第２のメッセージをデコーディングさせ、
上記時間ウィンドウ内で、上記第２のメッセージが上記ＲＡＮから受信されない場合、上記第１のメッセージを上記ＲＡＮに再送信させる、装置。
（項目２）
上記ＲＡＮは、少なくとも１つのエンハンスドノードＢ（ｅＮＢ）を含む、項目１に記載の装置。
（項目３）
上記第１のメッセージを上記ＲＡＮに再送信させることは、さらに、
数値を有する送信カウンタを使用して、上記第１のメッセージが送信された回数を追跡させ、
時間ウィンドウ内で、上記第２のメッセージが受信されるかどうかの判断と、上記送信カウンタと送信閾値との比較とに基づいて、上記ＲＡ  ＥＣプロシージャは、正常に完了しなかったという指標を出力させることを、含む、項目１に記載の装置。
（項目４）
上記第１のメッセージは、ランダムアクセス（ＲＡ）プリアンブルであり、上記第２のメッセージは、ランダムアクセス応答（ＲＡＲ）である、項目１に記載の装置。
（項目５）
最初のＥＣレベルは、上記ＵＥにおいて構成されているか、またはシステム情報ブロック（ＳＩＢ）内で受信される、項目１に記載の装置。
（項目６）
上記ＳＩＢは、より広い帯域幅において、または低減された帯域幅において受信される、項目５に記載の装置。
（項目７）
上記第１のメッセージが送信される上記電力レベルは、上記送信カウンタの値、または上記ＥＣレベルの値のうちの１または複数に基づく、項目３に記載の装置。
（項目８）
上記第１のメッセージを再送信させることは、さらに、電力ランプを含む、項目１に記載の装置。
（項目９）
上記電力ランプは、電力を、上記ＥＣレベルに関連付けられた最大電力レベルまで増加させることを含む、項目８に記載の装置。
（項目１０）
上記時間ウィンドウは、ＥＣ  ＲＡＲウィンドウ内で定義されたＥＣ  ＲＡＲ機会数および上記ＥＣレベルに対する上記送信試行数のうちの少なくとも１つに依存する、項目１に記載の装置。
（項目１１）
上記第１のメッセージを上記ＲＡＮに再送信させることは、さらに、上記第１のメッセージを再送信する前の遅延時間を含み、上記遅延は、少なくとも上記ＥＣレベルの関数の１つである、項目１に記載の装置。
（項目１２）
上記ＵＥは、標準カバレッジモードにおいて、およびＥＣモードにおいて動作可能であってよい、項目１から１１のいずれか一項に記載の装置。
（項目１３）
進化型ノードＢ（ｅＮＢ）に使用される装置であって、
１または複数のプロセッサと、
上記１または複数のプロセッサに連結された、命令を有するメモリと、を備え、
上記命令は、実行時に、上記１または複数のプロセッサに、
競合ベースのランダムアクセス（ＲＡ）プロシージャ中に無線セルで使用されるべき拡張カバレッジ（ＥＣ）レベルを判断させ、
上記無線セル内に位置されたユーザ機器（ＵＥ）に、システム情報ブロック（ＳＩＢ）内で、上記判断されたＥＣレベルの指標を送信させ、
ＵＥからＲＡプリアンブルを受信させ、
上記ＲＡプリアンブルに応答して、ランダムアクセス応答（ＲＡＲ）メッセージを送信させる、装置。
（項目１４）
ＳＩＢ内で、上記判断されたＥＣレベルの指標を送信させることは、さらに、１．４メガヘルツまたは２００キロヘルツの低減された帯域幅で送信させることを含む、項目１３に記載の装置。
（項目１５）
上記ｅＮＢは、標準カバレッジモードにおいて、およびＥＣモードにおいて無線セルを処理してよい、項目１３に記載の装置。
（項目１６）
ユーザ機器（ＵＥ）に使用される装置であって、
拡張カバレッジ（ＥＣ）レベルを識別するロジック回路と、
上記識別されたＥＣレベルに基づいて、無線アクセスネットワーク（ＲＡＮ）に、ランダムアクセス（ＲＡ）プリアンブルを送信する送信回路と、
複数のサブフレームを有するＥＣランダムアクセス応答（ＲＡＲ）ウィンドウ領域を識別するロジック回路と、を備える、装置。
（項目１７）
複数のサブフレームを有するＥＣランダムアクセス応答（ＲＡＲ）ウィンドウ領域を識別するロジック回路をさらに備え、上記ＥＣ  ＲＡＲウィンドウ領域が、各々が連続的なサブフレームグループである１または複数のＥＣ  ＲＡＲ機会を含んでおり、第１のＥＣ  ＲＡＲ機会は、上記ＲＡＲウィンドウ領域の開始と同一のサブフレームにおいて開始し、且つ上記ＲＡプリアンブルが送信された後、Ｋ個のサブフレームを置いて開始する、項目１６に記載の装置。
（項目１８）
上記第１のＥＣ  ＲＡＲ機会において、上記ＲＡＮから候補ＲＡＲを受信し、
候補ＲＡＲがデコーディングされることが可能になるまで、上記ＲＡＮから、ＥＣ  ＲＡＲ機会からの候補ＲＡＲを受信し、
候補ＲＡＲがデコーディングされることが可能になったら、上記ＲＡＮに、ＲＲＣ接続要求を送信する、
受信回路をさらに備える、項目１７に記載の装置。
（項目１９）
上記ＥＣ  ＲＡＲウィンドウ領域は、
仕様において定義された、
ＳＩメッセージの一部としてブロードキャストされた、
上記ＥＣレベルに関連付けられた、または、
ＲＡＲメッセージを含むＥＣ  ＲＡＲ機会における上記サブフレームの数に関連付けられた、
値に依存する、項目１６に記載の装置。
（項目２０）
低減された帯域幅モードの場合に、複数のシステム情報（ＳＩ）変更期間から、無線セル構成に関連付けられたＳＩ変更期間を識別するための制御回路と、
上記制御回路に連結された送信回路と、を備える進化型ノードＢ（ｅＮＢ）であって、
上記送信回路は、上記識別された変更期間に従い、ＳＩメッセージを送信する、ｅＮＢ。
（項目２１）
上記制御回路および上記送信回路は、標準カバレッジモードおよびＥＣモードのうちの少なくとも１つにおいて動作する、項目２０に記載のｅＮＢ。
（項目２２）
命令を備える１または複数の非一時的コンピュータ可読媒体であって、上記命令は、コンピューティングデバイスによる上記命令の実行に応答して、ユーザ機器（ＵＥ）に、
競合ベースのランダムアクセス（ＲＡ）プロシージャ中に無線セルで使用されるべき最初の拡張カバレッジ（ＥＣ）レベルを識別させ、上記ＥＣレベルは少なくとも関連付けられた電力レベル、時間ウィンドウ、および送信試行数を有しており、
上記識別されたＥＣレベルに基づいて、第１のメッセージを無線アクセスネットワーク（ＲＡＮ）に送信させ、
上記時間ウィンドウ内で、上記第１のメッセージに応答する第２のメッセージが上記ＲＡＮから受信されるかどうかを判断させ、
上記時間ウィンドウ内で、上記第２のメッセージが上記ＲＡＮから受信される場合、上記受信された第２のメッセージをデコーディングさせ、
上記時間ウィンドウ内で、上記第２のメッセージが上記ＲＡＮから受信されない場合、上記第１のメッセージを上記ＲＡＮに再送信させる、１または複数の非一時的コンピュータ可読媒体。
（項目２３）
上記ＲＡＮは、少なくとも１つのエンハンスドノードＢ（ｅＮＢ）を含む、項目２２に記載の１または複数の非一時的コンピュータ可読媒体。
（項目２４）
命令を備える１または複数の非一時的コンピュータ可読媒体であって、上記命令は、コンピューティングデバイスによる上記命令の実行に応答して、エンハンスドノードＢ（ｅＮＢ）に、
競合ベースのランダムアクセス（ＲＡ）プロシージャ中に無線セルで使用されるべき拡張カバレッジ（ＥＣ）レベルを判断させ、
上記無線セル内に位置されたユーザ機器（ＵＥ）に、システム情報ブロック（ＳＩＢ）内で、上記判断されたＥＣレベルの指標を送信させ、
ＵＥからＲＡプリアンブルを受信させ、
上記ＲＡプリアンブルに応答して、ランダムアクセス応答（ＲＡＲ）を送信させる、１または複数の非一時的コンピュータ可読媒体。
（項目２５）
上記ｅＮＢは、標準カバレッジモードにおいて、およびＥＣモードにおいて無線セルを処理してよい、項目２４に記載の１または複数の非一時的コンピュータ可読媒体。
【図１】
0006726816.tif 000002
【図２Ａ】
0006726816.tif 000003
【図２Ｂ】
0006726816.tif 000004
【図３Ａ】
0006726816.tif 000005
【図３Ｂ】
0006726816.tif 000006
【図３Ｃ】
0006726816.tif 000007
【図４】
0006726816.tif 000008
【図５】
0006726816.tif 000009
【図６】
0006726816.tif 000010
【図７】
0006726816.tif 000011